(57)【要約】【課題】上面に形成される読取口を介して表示媒体を撮像手段により撮像する構成であっても、表示情報を読み取り容易に撮像可能な情報読取装置を提供する。【解決手段】ケース３の上面には、読取口５を介して対向するように一対の補助光源２２が設けられ、これら一対の補助光源２２は、撮像部２３による視野範囲の長手方向両端となる外縁を照射するように配置される。【選択図】図４０
2020010366.tif 000002
【特許請求の範囲】
【請求項１】
ケースの上面に読取口が形成されて当該読取口を介して表示媒体を撮像手段により撮像することで当該表示媒体に表示された表示情報を読み取る据置型の情報読取装置であって、
前記ケースの内部には、前記撮像手段が収容され、
前記上面には、前記読取口を介して対向するように一対の光源が設けられ、
前記一対の光源は、前記撮像手段による視野範囲の長手方向両端となる外縁を照射するように配置されることを特徴とする情報読取装置。
【発明の詳細な説明】
【技術分野】
【０００１】
本発明は、情報読取装置に関するものである。
【背景技術】
【０００２】
従来、情報読取装置に対して読取対象となる表示媒体を撮像可能な位置に載置する技術として、例えば、下記特許文献１に開示される光学的情報読取装置が知られている。この光学的情報読取装置は、情報コードを読み取る読取部と、この読取部が下面に配置されたアーム部と、アーム部を支える基台と、情報コードが付与された読取対象物（表示媒体）が載置される載置部とを備えるように構成されている。そして、載置部に設けられた第１位置規制部材にて読取対象物の載置位置が規制された状態で、読取対象物の上方に位置する読取部により下方に位置する情報コードが読み取られる。これにより、読取対象物を読取部に対して適正な位置に移動させるための位置合わせの時間が不要となり、迅速に情報コードを読み取ることができる。
【先行技術文献】
【特許文献】
【０００３】
【特許文献１】特開２０１４−２１５８９８号公報
【発明の概要】
【発明が解決しようとする課題】
【０００４】
ところで、上記特許文献１のように読取部（読取口）の下方に読取対象となる表示媒体が載置される載置部を設ける構成では、読取装置そのものが邪魔をしてパスポートのような比較的大きな表示媒体を読取口に対して撮像しやすい位置に載置しにくい場合がある。
【０００５】
本発明は、上述した課題を解決するためになされたものであり、その目的とするところは、上面に形成される読取口を介して表示媒体を撮像手段により撮像する構成であっても、表示情報を読み取り容易に撮像可能な情報読取装置を提供することにある。
【課題を解決するための手段】
【０００６】
上記目的を達成するため、特許請求の範囲の請求項１に記載の発明は、
ケースの上面に読取口が形成されて当該読取口を介して表示媒体を撮像手段により撮像することで当該表示媒体に表示された表示情報を読み取る据置型の情報読取装置であって、
前記ケースの内部には、前記撮像手段が収容され、
前記上面には、前記読取口を介して対向するように一対の光源が設けられ、
前記一対の光源は、前記撮像手段による視野範囲の長手方向両端となる外縁を照射するように配置されることを特徴とする。
【発明の効果】
【０００７】
請求項１の発明では、ケースの上面には、読取口を介して対向するように一対の光源が設けられ、これら一対の光源は、撮像手段による視野範囲の長手方向両端となる外縁を照射するように配置される。これにより、照度不足が生じやすい視野範囲の外縁に照明光が照射されることで、視野範囲に対する照度を適切に調整することができ、表示情報を読み取り容易に撮像することができる。
【図面の簡単な説明】
【０００８】
【図１】第１実施形態に係るアタッチメントが情報読取装置に組み付けられた状態を示す斜視図である。
【図２】パスポートの表示状態を示す説明図である。
【図３】図１の情報読取装置の平面図である。
【図４】図３の情報読取装置のＡ−Ａ断面を概略的に示す断面概略図である。
【図５】図４の情報読取装置のＢ−Ｂ断面を概略的に示す断面概略図である。
【図６】図４の情報読取装置のＣ−Ｃ断面を概略的に示す断面概略図である。
【図７】図４の情報読取装置のＤ−Ｄ断面を概略的に示す断面概略図である。
【図８】図４の情報読取装置のＥ−Ｅ断面を概略的に示す断面概略図である。
【図９】図１の情報読取装置の電気的構成を概略的に例示するブロック図である。
【図１０】図１の情報読取装置で構成される高照度領域等を説明する説明図である。
【図１１】図１のアタッチメントを概略的に示す斜視図である。
【図１２】図１１のアタッチメントの平面図である。
【図１３】図１１のアタッチメントの側面図である。
【図１４】図１２のアタッチメントのＦ−Ｆ断面を概略的に示す断面概略図である。
【図１５】図１のアタッチメントの載置部にパスポートを載置した状態を示す斜視図である。
【図１６】図１のアタッチメントの載置部にパスポートを載置した状態を示す平面図である。
【図１７】第２実施形態に係るアタッチメントが情報読取装置に組み付けられた状態を示す斜視図である。
【図１８】図１７のアタッチメントを概略的に示す斜視図である。
【図１９】図１８のアタッチメントの平面図である。
【図２０】図１８のアタッチメントの側面図である。
【図２１】図１９のアタッチメントのＧ−Ｇ断面を概略的に示す断面概略図である。
【図２２】図２０のＨ部を拡大して示す拡大図である。
【図２３】図１７のアタッチメントの載置部にパスポートを載置した状態を示す斜視図である。
【図２４】図１７のアタッチメントの載置部にパスポートを載置した状態を示す平面図である。
【図２５】第３実施形態に係るアタッチメントが情報読取装置に組み付けられた状態を示す斜視図である。
【図２６】第４実施形態の要部を示すアタッチメントの平面図である。
【図２７】図２６に示すアタッチメントが組み付けられた状態で撮像された撮像画像を示す説明図である。
【図２８】第４実施形態の変形例の要部を示すアタッチメントの平面図である。
【図２９】第５実施形態の要部を示す撮像画像の説明図である。
【図３０】第５実施形態の変形例の要部を示す撮像画像の説明図である。
【図３１】第６実施形態に係る特定のパターンを示す説明図である。
【図３２】特定のパターンを撮像した際に得られる輝度値の変化を示すグラフである。
【図３３】図３２にて撮像された特定のパターンをコピーしたパターンを撮像した際に得られる輝度値の変化を示すグラフである。
【図３４】第７実施形態に係るアタッチメントが情報読取装置に組み付けられた状態を示す斜視図である。
【図３５】第７実施形態に係るアタッチメントが情報読取装置に組み付けられた状態を示す平面図である。
【図３６】プレート上にパスポートを載置した状態を説明する断面図である。
【図３７】載置部に表示面が柔らかい紙面から形成されるパスポートを載置した状態を説明する断面図である。
【図３８】第８実施形態に係るアタッチメントが情報読取装置に組み付けられた状態を示す斜視図である。
【図３９】第８実施形態の変形例に係るアタッチメントが情報読取装置に組み付けられた状態を示す斜視図である。
【図４０】第９実施形態の要部を示す情報読取装置およびアタッチメントの概略断面図である。
【図４１】図４０の情報読取装置の電気的構成を概略的に例示するブロック図である。
【図４２】載置部に載置されたパスポートを撮像する際の撮像部の視野範囲を示す説明図である。
【図４３】読取口近傍での照度分布と載置部近傍での照度分布との関係を示す説明図である。
【図４４】第１０実施形態の要部を示す情報読取装置およびアタッチメントの概略断面図である。
【図４５】照射角度が小さな第２の照明光が直接照射される場合の載置部近傍での照度分布を示す説明図である。
【図４６】照射角度が小さな第２の照明光が第１の照度調整部材を利用して間接的に照射される場合の載置部近傍での照度分布を拡大して示す説明図である。
【図４７】第１０実施形態の変形例において第２の照度調整部材を利用した場合の載置部近傍での照度分布を示す説明図である。
【図４８】第１１実施形態に係る情報読取装置の制御回路による光源制御処理の流れを例示するフローチャートである。
【図４９】変形例に係るアタッチメントの載置部にパスポートを載置した状態を示す平面図である。
【発明を実施するための形態】
【０００９】
［第１実施形態］
以下、本発明に係る情報読取装置用アタッチメントが組み付けられた据置型の情報読取装置を具現化した第１実施形態について、図面を参照して説明する。
図１に示す据置型の情報読取装置１は、机や棚などの上面を載置面としてこの載置面上に載置される据置型の読取装置であって、読取口を介して表示媒体を撮像することで当該表示媒体に表示された表示情報を読み取る情報読取装置として構成されるものである。表示媒体としては、例えば、パスポートや情報コードが表示された画面等が想定される。このため、情報読取装置１は、撮像した文字情報等を認識する公知の記号認識処理機能（ＯＣＲ）や撮像した情報コードを読み取る情報コードリーダとしての機能など、撮像した情報を読み取る機能を有するように構成されている。
【００１０】
例えば、図２に示すようなパスポート１００が表示媒体となる場合、顔写真が表示された表示面１０１の下欄に表示される文字情報１０２が読み取るべき表示情報となる。図１に示すアタッチメント６０は、文字情報１０２を撮像する際にパスポート１００を載置するための載置台として機能する情報読取装置用アタッチメントであり、情報読取装置１に対して着脱可能に形成されている（詳細形状は後述する）。また、表示情報となる情報コードとしては、例えば、バーコード等の一次元コードやＱＲコード（登録商標）等の二次元コードなど複数種類のセルが配列されて構成される公知のコードを想定することができる。
【００１１】
まず、情報読取装置１の構成について詳述する。
情報読取装置１は、例えばＡＢＳ樹脂等の樹脂材料によって構成されるケース３を備えている。このケース３は、図３および図４等に示すように、上ケース４ａと下ケース４ｂと備えており、これら上ケース４ａと下ケース４ｂとが上下に組み付けられた構成で全体として箱状に形成されている。そして、ケース３の内部には、後述する反射部材２９、結像部２７、撮像部２３、導光部材５０などの各部品が収容されている。また、図３等に示すように、ケース３の上面部（読取側壁部３ａ）には光の出入口となる読取口５が形成されており、読取口５を介してケース外からの光がケース内に入り込み、ケース内からの光がケース外に放出されるようになっている。そして、反射部材２９、結像部２７、撮像部２３によって構成される光学系は、この読取口５を介してケース外の表示媒体を撮像するように機能する。
【００１２】
また、箱状に構成されるケース３には、情報読取装置１を載置するときの載置面側（載置面Ｆ側）に設けられる底壁部３ｂと、読取口５が形成された読取側壁部３ａとが対向して設けられている。そして、底壁部３ｂが載置面Ｆに支持されるように配置され、この底壁部３ｂと対向する読取側壁部３ａが、表示媒体を翳す側の露出壁部として構成されている。なお、本構成では、底壁部３ｂと読取側壁部３ａとの対向方向（即ち、ケース３の厚さ方向であり、図４に示す載置面Ｆと直交する方向）を上下方向とし、読取口５が形成された側（読取側壁部３ａ側）を上方側、それとは反対側（底壁部３ｂ側）を下方側としている。また、この上下方向と直交する平面方向を水平方向としている。なお、プレート７の厚さ方向（即ち、プレート７の板面と直交する方向）も上下方向となっており、後述する第２視野範囲ＡＲ２の光軸Ｌ２の方向も上下方向となっている。
【００１３】
ケース３の上面側には、上ケース４ａの上端部に形成された開口部４ｃを閉じる構成でプレート７が配置されている。このプレート７は、所定の厚さの平坦な板として構成され、ケース３の外部からの光が透過可能となる光透過性の部材（例えば、透明なアクリル樹脂や透明ガラス等）によって構成されている。このプレート７は、防塵プレートとして機能しており、このようなプレート７が上ケース４ａに形成された開口部４ｃを閉塞することで、ケース３を閉塞し、ケース３の内部（特に、反射部材２９、結像部２７、撮像部２３などが収容された収容空間）にケース外からの異物（塵や埃など）が入り込みにくくなっている。また、プレート７の上面部（ケース外に露出する側の板面部）を部分的に覆う構成で光遮光性の塗料などからなる被覆層８が形成されている。この被覆層８は、プレート７の周縁部に沿って環状に形成されており、この被覆層８の内縁部によって構成される開口部が読取口５となっている。
【００１４】
次に、情報読取装置１の電気的構成について説明する。図９に示すように、情報読取装置１は、主に、照明光源２１、結像部２７、撮像部２３等の光学系と、メモリ３５、制御回路４０等のマイクロコンピュータ（以下「マイコン」という）系と、図示しない電源部、電源スイッチ等の電源系とを備えている。
【００１５】
光学系は、投光光学系と、受光光学系とに分かれている。投光光学系を構成する照明光源２１は、照明光を照射可能な光源として機能するものであり、例えば、ＬＥＤなどによって構成されている。この照明光源２１は、ケース３の長手方向一方側に配置される第１光源２１ａ，２１ｂと、ケース３の長手方向他方側に配置される第２光源２１ｃ，２１ｄとを備えており、第１光源２１ａ，２１ｂ及び第２光源２１ｃ，２１ｄのそれぞれがＬＥＤなどの投光素子として構成され、上下方向に対して横向きに照明光を照射する機能を有している。
【００１６】
また、図３〜図８で示すように、投光光学系は、照明光源２１からの光を導く導光部材５０を備えている。この導光部材５０は、ケース３の内部において照明光源２１からの照明光が照射される位置に配置され、照明光源２１からの照明光が読取口５の開口領域γ（図４等参照）を通ってケース３の外部に照射されるように導く構成となっている。なお、導光部材５０の詳細は後述する。
【００１７】
図９で示すように、受光光学系は、撮像部２３、結像部２７、反射部材２９（図３、図４等）などによって構成されている。撮像部２３は、例えばＣＣＤ素子やＣＭＯＳ素子等の固体撮像素子（受光素子）が二次元的に配列された受光センサ（エリアセンサ）などによって構成されており、図４、図９等に示すように、結像部２７に面する側にケース外からの光を受光し得る受光面２３ａが配置されている。この撮像部２３は、反射部材２９で反射された光が結像部２７を通過して受光面２３ａに入り込もうとする入射光を受光し得るように基板に実装されている。そして、例えば、図９のように、文字情報１０２（表示情報）が示されたパスポート１００（表示媒体）が視野範囲内に配置されたとき（例えば、表示媒体における表示情報を表示する側の面が開口領域γ内においてプレート７に近接するように配置されたとき）、この文字情報１０２等に照射されて反射した反射光Ｌｒ（図９参照）を受光する構成となっている。また、撮像部２３は、受光面２３ａにおいて光を検出しうる領域（固体撮像素子が配置された領域）が「所定の受光領域」として設定されており、図４等では、撮像部２３における受光領域の範囲を符号Ｄ１にて概念的に示している。即ち、受光面２３ａにおいて範囲Ｄ１に入射する光が撮像部２３に検出されるようになっている。なお、図４等に示す例では、撮像部２３における受光領域の範囲は、例えば受光面２３ａにおいて光軸Ｌ１を中心とする上下方向所定範囲となっており、且つ光軸Ｌ１を中心とする左右方向（幅方向：図３参照）所定範囲となっている。なお、図４等に示す例では、受光面２３ａが前後方向（図３参照）とほぼ直交して配置されている。
【００１８】
結像部２７は、公知の結像レンズによって構成され、結像光学系として機能している。この結像部２７は、撮像部２３で撮像可能となる視野範囲を定めると共に、ケース３の外部から読取口５を通過して入り込んだ光（具体的には、当該入射光が反射部材２９で反射した光）を撮像部２３の受光領域に導く構成となっている。そして、結像部２７は、ケース３の外部において視野範囲内に表示情報が配置されたときに当該表示情報の像を撮像部２３の受光領域に結像させるように機能する。本構成では、照明光源２１から照射され、導光部材５０によってケース外に導かれた照明光を表示情報に当てながら当該表示情報を撮像し得るようになっており、結像部２７は、表示情報が視野範囲内（撮像エリア内）に配置されたときに、この表示情報からの反射光Ｌｒを集光し、撮像部２３の受光面２３ａに表示情報の像を結像させるように構成されている。なお、結像部２７としては、例えば、焦点距離が短く画角の広い広角レンズを好適に用いることができる。
【００１９】
マイコン系は、増幅回路３１、Ａ／Ｄ変換回路３４、メモリ３５、アドレス発生回路３６、同期信号発生回路３８、制御回路４０等によって構成されており、例えば上述した光学系によって撮像された表示情報等の画像信号を信号処理するように構成されている。具体的には、視野範囲内に配置された表示情報等が撮像部２３によって撮像されたときの撮像画像のデータをメモリ３５に記憶可能に構成されており、制御回路４０は、このような表示情報等の画像データを解析し、文字情報等であればＯＣＲ技術を用いて認識するように構成されている。また、制御回路４０は、視野範囲内に配置された情報コードが撮像手段として機能する撮像部２３によって撮像された場合には、この情報コードのコード画像を解析することで光学的に読み取る読取手段として機能するように構成されている。
【００２０】
なお、図９等では図示を省略しているが、情報読取装置１には押圧ボタンなどの操作部が設けられていてもよく、この場合、ユーザが操作部を操作したときにその操作に応じた信号が制御回路に入力されることとなる。また、公知の通信インタフェースが設けられていてもよく、この構成では、情報読取装置１から図示しない外部装置に情報を送信したり、情報読取装置１が外部装置から情報を受信したりすることが可能となる。また、ランプや表示装置などの表示部が設けられていてもよい。
【００２１】
次に、情報読取装置１の特徴的構成について詳述する。
本構成では、ケース３の内部に反射部材２９、結像部２７、撮像部２３、照明光源２１、導光部材５０が収容されている。以下では、これら反射部材２９、結像部２７、撮像部２３、照明光源２１、導光部材５０等についてより詳細に説明する。
【００２２】
図４〜図６等に示すように、本構成では、ケース３の上面部（上壁部）として、板状且つ略矩形状（略長方形状）のプレート７が配置されており、このプレート７が読取側壁部３ａに相当している。図３のように情報読取装置１を平面視したときのプレート７の長手方向中央部及び短手方向中央部には、略矩形状（略長方形状）の読取口５が形成されている。読取口５は、図３のように平面視したときに、当該読取口５の開口領域γ（図３に示す境界線Ｐ３の内側の領域であり、図４も参照）に反射部材２９の反射領域（反射面の領域）が全て収まるようなサイズ及び位置で形成されている。即ち、図３に示す幅方向において、読取口５の幅方向一端部５ａと幅方向他端部５ｂとの間に反射部材２９の幅方向一端部と他端部が配置され、図３に示す前後方向において、読取口５の前後方向一端部５ｃと前後方向他端部５ｄとの間に反射部材２９の前後方向一端部と他端部が配置されている。なお、読取口５の幅方向一端部５ａと幅方向他端部５ｂの縁部は、いずれも前後方向に直線状に延びており、読取口５の前後方向一端部５ｃと前後方向他端部５ｄはいずれも幅方向（左右方向）に直線状に延びている。
【００２３】
図４〜図６等に示すように、ケース３の底壁部３ｂは、ケース３の下面部として板状に構成されており、情報読取装置１が載置面Ｆに載置されるときに、当該底壁部３ｂの下面側が載置面Ｆに支持される構成となっている。この底壁部３ｂは、厚さ方向を上下方向とする構成で外面（下面）の大部分が略平坦面として構成されている。そして、箱状に構成されるケース３の底として機能している。なお、読取側壁部３ａ（上面部）と底壁部（下面部）との間には、ケース３内の収容空間（反射部材２９、結像部２７、撮像部２３などが収容される空間）の周囲を取り囲むように側壁部３ｃが設けられている。この側壁部３ｃは、幅方向両側に配置される一対の側壁（いずれも前後方向に延びる側壁）と、前後方向両側に配置される一対の側壁（いずれも幅方向に延びる側壁）とを備えており、これら四方の側壁が環状に連結して配置されている。このように環状に配置された側壁部３ｃ（周壁部）の上側を部分的に閉塞する構成（具体的には、側壁部３ｃの上端部によって構成される開口部４ｃを閉塞する構成）で読取側壁部３ａ（上面部）に相当するプレート７が配置され、側壁部３ｃの下側全体を閉塞する構成で底壁部３ｂ（下面部）が配置されている。
【００２４】
プレート７は、上ケース４ａの上端部に形成された開口部を閉塞する構成で配置され、ケース３の上面部を構成しており、ケース３内部に収容される反射部材２９、結像部２７、導光部材５０の上側を覆う構成で配置されている。そして、図３のように平面視したときには、プレート７の露出部分（図３で概念的に示す境界線Ｐ３の内側の領域である開口領域γ（図４）の部分）を介してケース内の反射部材２９、結像部２７、導光部材５０が視認されるようになっている。プレート７は、例えば透明且つ平坦な板材として構成され、その板面（上面７ａ及び下面７ｂ）と直交する方向が上下方向となるように略水平に配置されている。なお、プレート７は、透明部材の一例に相当し、被覆層８の内周部として構成される読取口５を閉塞するように機能する。つまり、読取口５は、光の出入りを許容する構成であるが、プレート７の閉塞によって水や埃等の侵入を許容しない構成となっている。
【００２５】
反射部材２９は、例えばミラーとして構成され、ケース３の内部に収容され、ケース３の外部から読取口５を介して入り込む光を反射させるように機能する。この反射部材２９は、反射面２９ａ（鏡面）が斜め上側且つ前後方向一方側（反射面２９ａに対し結像部２７側）を向く構成で配置されており、ケース３の上方側から読取口５を通って入り込んだ光を前後方向一方側に反射するように構成されている。より具体的には、反射面２９ａが平坦に構成され、この反射面２９ａが、上下方向及び前後方向と平行な仮想平面と直交するように配置されており、例えば上下方向と反射面２９ａとのなす角度が４５°となっており、上下方向と平行に入り込んだ光を水平に反射するように配置されている。
【００２６】
また、反射部材２９の反射面２９ａ（上方側からの光を反射可能な鏡面領域であり、上方側に露出する面）の上端部２９ｃは、上下方向においてプレート７寄りの位置に配置され、反射面２９ａの下端部２９ｂは、上下方向において底壁部３ｂ寄りに配置されている。また、反射部材２９の反射面２９ａは、下端部２９ｂの幅が最も狭く、上端部２９ｃの幅が最も広くなるように、上方となるにつれて幅が広くなる構成となっている。
【００２７】
結像部２７は、上述したように広角レンズとして機能する結像レンズによって構成され、図４、図６、図７等に示すようにプレート７から離れた位置に配置されている。この結像部２７は、ケース３の外部から読取口５を通過して入り込み且つ反射部材２９で反射した光を集光しつつ撮像部２３の受光面２３ａ（受光領域）に導く機能を有し、ケース３の内外において撮像部２３で撮像可能となる視野範囲を定める構成となっている。具体的には、図４に示すように、視野範囲として、当該結像部２７と反射部材２９との間に構成される第１視野範囲ＡＲ１と、当該第１視野範囲ＡＲ１に続くように反射部材２９から上方側に構成される第２視野範囲ＡＲ２とを定めている。つまり、この第１視野範囲ＡＲ１及び第２視野範囲ＡＲ２を撮像エリアとするように、視野範囲からの光を撮像部２３の受光領域に向けて集光し結像させている。なお、第１視野範囲ＡＲ１は、結像部２７によって集光されて直接撮像部２３に撮像される視野範囲であり、第２視野範囲ＡＲ２は、反射部材２９に映り込んだ画像が撮像部２３に撮像される視野範囲である。このように構成される結像部２７は、ケース３の外部に設定された第２視野範囲ＡＲ２内に表示情報が配置されたときに当該表示情報の像を撮像部２３の受光領域に結像させるように機能している。
【００２８】
図４に示す第１視野範囲ＡＲ１は、結像部２７と反射部材２９との間の空間において撮像部２３によって撮像される範囲であり、反射部材２９の反射面２９ａに近づくにつれて徐々に広くなるように設定されている。また、第１視野範囲ＡＲ１の中心となる光軸Ｌ１は、水平方向（具体的には、前後方向）となっており、反射面２９ａとのなす角度が４５°となっている。そして、図４のように、光軸Ｌ１を通り上下方向と平行な平面を切断面として情報読取装置１を切断した場合、当該切断面上において第１視野範囲ＡＲ１が上下に最も広がるようになっている。そして、図４に示す切断面（光軸Ｌ１を通り上下方向と平行な切断面）では、第１視野範囲ＡＲ１の下限の境界は、反射部材２９の反射面２９ａに近づくにつれて低位置（下位置）となり、第１視野範囲ＡＲ１の上限の境界は、反射部材２９の反射面２９ａに近づくにつれて高位置（上位置）となるように構成されている。そして、図４に示す切断面（図３に示すＡ−Ａ位置の切断面であり、情報読取装置１を左右方向中心位置において左右方向と直交する方向に切断した切断面）において、第１視野範囲ＡＲ１の下限の境界が反射部材２９の反射面２９ａに達した位置（その境界と反射面２９ａとが交わる位置）が第１視野範囲ＡＲ１の下端位置となっている。また、第１視野範囲ＡＲ１の上限の境界が反射部材２９の反射面２９ａに達した位置（その境界と反射面２９ａとが交わる位置）が第１視野範囲ＡＲ１の上端位置となっている。
【００２９】
図４のように、本構成では、反射部材２９の反射領域（反射面２９ａが露出した領域）が、少なくとも第１視野範囲ＡＲ１の下端に位置しており、第１視野範囲ＡＲ１の下端から上端まで続いている。つまり、反射部材２９は、図４のような切断面において第１視野範囲ＡＲ１の上下方向全領域を網羅するように反射面２９ａが配置されている。例えば、図４に示す切断面において、反射領域（反射面２９ａの領域）の上端部２９ｃは、第１視野範囲ＡＲ１の上端位置と同位置又は当該上端位置よりも上位置であり、反射領域（反射面２９ａの領域）の下端部２９ｂは、第１視野範囲ＡＲ１の下端位置と同位置又は当該下端位置よりも下位置となっている。より具体的には、撮像部２３の受光領域の全領域に反射面２９ａが映り込むように配置されている。つまり、第１視野範囲ＡＲ１の反射部材２９側の境界は、全て反射面２９ａ上の位置となっており、撮像部２３は、反射面２９ａの周囲に隣接する部分（反射面２９ａ以外の部分）を撮像せず、第２視野範囲ＡＲ２の全体を撮像し得るようになっている。
【００３０】
第２視野範囲ＡＲ２は、上述の第１視野範囲ＡＲ１に続くように反射部材２９にて折り返された視野範囲であり、この第２視野範囲ＡＲ２に存在する物体等が反射部材２９に映り、撮像部２３によって撮像されるようになっている。逆に、第２視野範囲ＡＲ２の外側は、第１視野範囲ＡＲ１を除き、撮像部２３に撮像されない。
【００３１】
本構成では、反射面２９ａが水平方向に対して例えば４５度の角度で傾斜した構成となっている。そして、反射部材２９に対し、前後方向一方側に結像部２７が配置されており、第１視野範囲ＡＲ１の光軸Ｌ１が前後に延びる構成となっている。従って、第２視野範囲ＡＲ２の中心となる光軸Ｌ２は上下方向に延びている。そして、第１視野範囲ＡＲ１が反射部材２９にて折り返された第２視野範囲ＡＲ２は、上方となるにつれて範囲が広くなるように設定されており、図４のような断面（光軸Ｌ１、Ｌ２を通る断面）では、上方となるにつれて第２視野範囲ＡＲ２が前後に広がるようになっている。
【００３２】
具体的には、光軸Ｌ２を中心として上方となるにつれて前後に範囲が広くなるように第２視野範囲ＡＲ２が設定されており、同様に、光軸Ｌ２を中心として上方となるにつれて左右に範囲が広くなるように第２視野範囲ＡＲ２が設定されている。なお、ケース外において第２視野範囲ＡＲ２を水平方向に切断した仮想面上での第２視野範囲ＡＲ２の境界形状は、例えば円形であってもよく、長方形、正方形等の矩形形状であってもよい。
【００３３】
そして、結像部２７は、第２視野範囲ＡＲ２から外れた位置に配置されている。具体的には、第２視野範囲ＡＲ２の前後方向一方側の境界Ｂ１よりも前後方向一方側に外れた位置に結像部２７が配置されている。このように結像部２７の一部が第２視野範囲ＡＲ２に入り込まないように構成されているため、結像部２７の一部が反射部材２９に映り込んで撮像部２３に撮像されてしまうことがなく、このような映り込みに起因する撮像エリアの縮小が抑えられている。また、図４のように、結像部２７のレンズ部分は、反射部材２９の反射面２９ａの領域（反射領域）の下端部２９ｂよりも上位置に配置され、上端部２９ｃよりも下位置に配置されている。更に、結像部２７の前後方向の一端部（反射部材２９側の端部）は、前後方向において、読取口５の前後方向他端部５ｄと光軸Ｌ２との間に配置されている。このように配置することで、結像部２７の映り込みを防ぎつつ、読取口５の下方側の領域を生かすことができる。
【００３４】
また、図４に示すように、第１視野範囲ＡＲ１の中心となる光軸Ｌ１及び第２視野範囲ＡＲ２の中心となる光軸Ｌ１を通る平面を切断面とした断面において、第２視野範囲ＡＲ２の両境界Ｂ１、Ｂ２が読取口５の内周部寄りの位置（例えば、端部５ｄ，５ｃの位置又は端部５ｄ，５ｃに近い位置）を通る構成となっている。なお、図４の例では、第２視野範囲ＡＲ２の前後方向一方側の境界Ｂ１と前後方向他方側の境界Ｂ２とがいずれも、読取口５の内周部（端部５ｄ，５ｃ）よりも僅かに内側を通るようになっているが、これら境界Ｂ１、Ｂ２がいずれも内周部（端部５ｄ，５ｃ）を通る構成となっていてもよい。
【００３５】
次に、照明光源２１について説明する。図３、図４、図６、図８に示すように、照明光源２１は、上下方向と直交する平面方向において開口領域γ（図３に示す境界線Ｐ３の内側領域）の外側の位置に配置されている。なお、境界線Ｐ３は、平面方向における開口領域γの境界を概念的に示すものであり、実際は、読取口５の内縁が開口領域γの境界となる。照明光源２１は、ケース３の長手方向一端寄り（幅方向一端寄り）に配置された第１光源２１ａ，２１ｂと、ケース３の長手方向他端寄り（幅方向他端寄り）に配置された第２光源２１ｃ，２１ｄとを有している。これら第１光源２１ａ，２１ｂ及び第２光源２１ｃ，２１ｄはいずれも、プレート７の板面に形成された被覆層８の下方に配置されており、図６、図８のように、第１光源２１ａ，２１ｂ及び第２光源２１ｃ，２１ｄのいずれも、この被覆層８の下位置に配置される基板の下面側に実装されている。
【００３６】
図４、図６、図８に示すように、第１光源２１ａ，２１ｂ及び第２光源２１ｃ，２１ｄはいずれも、上下方向において、プレート７よりも下方位置且つ後述する導光部材５０の上端位置付近に配置されており、図３のように、平面方向において開口領域γ（境界線Ｐ３の内側領域）から外側に離れた位置に配置されている。そして、第１光源２１ａ，２１ｂ及び第２光源２１ｃ，２１ｄのいずれも、上下方向と直交する横方向（水平方向）及び横方向に対して傾斜した斜め横方向に照明光が照射されるように開口領域γに近づく側に照明光を照射する構成となっている。
【００３７】
また、上下方向において照明光源２１と読取口５の間の位置には、少なくとも照明光源２１からの照明光の照射側において照明光源２１の位置から平面方向に沿って読取口５側（第２視野範囲ＡＲ２側）に延びる構成の遮光部が配置されている。そして、これら遮光部により、各照明光源２１から斜め上方側に向かおうとする照明光が遮られる構成となっている。これにより、各照明光源２１からの光の多くは、水平方向及び斜め下方向に照射されることになる。このように構成されているため、各照明光源２１からの光が直接使用者の目に入り込みにくく、且つ各照明光源２１からの光を後述する導光部材５０に効率的に当てやすくなる。
【００３８】
そして、これらの照明光源２１による照明光の照射先には、導光部材５０が配置されている。図１０で例示されるように、導光部材５０は、読取口５の開口領域γ（図１０に示す境界線Ｐ３の内側領域）において、視野範囲の中心部Ｐ１を通る照明光の照度よりも、視野範囲内の周縁部寄りに定められた所定の高照度領域βを通る照明光の照度のほうが大きくなるように照明光を導く構成となっている。なお、図４、図１０の例では、プレート７の上面の位置において読取口５の内縁部によって囲まれる領域（プレート７の上面において読取口５から露出する領域）が開口領域γに相当している。そして、図１０の例では、この開口領域γにおいて視野範囲の周縁部に沿った環状領域が高照度領域βとなっており、この高照度領域βをハッチングで概念的に示している。
【００３９】
導光部材５０は、照明光源２１からの照明光を反射する複数の反射部５１，５２，５３，５４を備えている。これら反射部５１，５２，５３，５４はいずれも、第２視野範囲ＡＲ２側の面が、照明光源２１からの照明光を反射する反射面として構成されている。そして、各反射部５１，５２，５３，５４の各反射面はいずれも、上下方向と直交する平面方向において、読取口５の開口領域γにおける視野範囲の中心部Ｐ１の位置（即ち、プレート７と光軸Ｌ２が交わる位置）に近づくにつれて下位置となる傾斜面として構成されている。なお、反射部５１，５２，５３，５４は、例えば、遮光性の部材によって構成されており、反射部５１，５２，５３，５４のいずれも、第２視野範囲ＡＲ２側の外面（即ち照明光を反射する反射面）が所定色（例えば、白色等の明色）であり、いずれも第２視野範囲ＡＲ２側の外面に入射する光を拡散反射させる構成となっている。そして、導光部材５０全体が、視野範囲の外側において、第２視野範囲ＡＲ２に沿って配置されており、下方位置となるにつれて孔の大きさ（開口領域）が狭くなるすり鉢状の構造となっている。このように、導光部材５０は、第２視野範囲ＡＲ２の外側において第２視野範囲ＡＲ２を囲む構成で環状に配置されており、且つ上端部５０ａが読取口５の内縁部に近接して配置されている。導光部材５０の上端部５０ａは、第２視野範囲ＡＲ２を囲む環状の端部構造となっており、このように環状に構成される上端部５０ａのいずれも、読取口５の内縁部の直下近傍に位置し、上端部５０ａのいずれの位置も、開口領域γの中心部よりも周縁部のほうが近くなっている。また、上端部５０ａのいずれの位置も、開口領域γでの視野範囲αの中心部Ｐ１よりも周縁部（境界線Ｐ２付近）のほうが近くなっている。
【００４０】
なお、図３では、一方の第１反射部５４の領域を二点鎖線Ｊ１１で概念的に示し、他方の第１反射部５３の領域を二点鎖線Ｊ１２で概念的に示している。また、一方の第２反射部５１の領域を二点鎖線Ｊ２１で示し、他方の第２反射部５２の領域を二点鎖線Ｊ２２で示している。また、図１０では、第１光源２１ａからの照明光の照射エリアを太線の破線で概念的に示しており、第１光源２１ｂからの照明光の照射エリアを太線の実線で概念的に示しており、第２光源２１ｃからの照明光の照射エリアを太線の二点鎖線で概念的に示しており、第２光源２１ｄからの照明光の照射エリアを太線の一点鎖線で概念的に示している。
【００４１】
このように、第１光源２１ａ，２１ｂ及び第２光源２１ｃ，２１ｄから照射された照明光は、すり鉢状に構成された導光部材５０の壁面（第１反射部５３，５４及び第２反射部５１，５２の第２視野範囲ＡＲ２側の外面）に照射されるため、図１０のように平面視したときに、第１反射部５３，５４及び第２反射部５１，５２が全体的に明るく光ることになる。更に、図４、図５、図７のように、第１反射部５３，５４及び第２反射部５１，５２はいずれも、平面方向において視野範囲ＡＲ２の中心（光軸Ｌ２）側が下位置となる構成であり、光軸Ｌ２から遠い側が上位置となる構成となっている。このため、読取口５の開口領域γ（プレート７の上面において読取口５から露出する領域）において、この領域γ内の視野範囲α（図１０において境界線Ｐ２に囲まれる領域）では、周縁部付近（境界線Ｐ２付近）に近い導光部材５０の上端部５０ａ付近（第１反射部５３，５４及び第２反射部５１，５２の上端部付近）からの反射光がその周縁部付近（境界線Ｐ２付近）に届きやすくなる。よって、開口領域γ内の視野範囲α（図１０において境界線Ｐ２に囲まれる領域）では、当該視野範囲αの周縁部付近（境界線Ｐ２付近）の照度が当該視野範囲αの中心部Ｐ１付近の照度と比較して相対的に高くなる。一方、開口領域γにおける視野範囲αの中心部Ｐ１は、周縁部付近（境界線Ｐ２付近）と比較して第１反射部５３，５４及び第２反射部５１，５２からの距離が遠いため、第１反射部５３，５４及び第２反射部５１，５２で反射した照明光は、開口領域γにおいて視野範囲αの周縁部よりも中心部Ｐ１に届きにくくなる。よって、開口領域γ内の視野範囲α（図１０において境界線Ｐ２に囲まれる領域）では、中心部Ｐ１付近の照度が周縁部付近（境界線Ｐ２付近）の照度と比較して相対的に低くなる。なお、図１０では、開口領域γにおいて視野範囲αの中心部Ｐ１付近の照度よりも照度が高くなる高照度領域βをハッチング領域として概念的に示している。開口領域γでは、このように高照度領域βが構成されるため、開口領域γにおいてプレート７の上面に密着するように物体を配置した場合、この物体では、高照度領域βの位置の照度が相対的に大きく、中心部Ｐ１付近の照度が相対的に小さくなり、高照度領域βが中心部Ｐ１付近よりも相対的に明るくなる。
【００４２】
次に、アタッチメント６０の詳細構成について、図１１〜図１４を参照して詳述する。
図１１〜図１４に示すように、アタッチメント６０は、例えばＡＢＳ樹脂等の樹脂材料によって構成されるもので、情報読取装置１に組み付けられる基部７０と、パスポート１００が載置される載置部８０と、この載置部８０を基部７０に対して支持する４つの支持部材９１〜９４とを一体にして備えている。
【００４３】
基部７０は、載置面Ｆに載置される部位であって、ケース３の側壁部３ｃのうち前後方向両側に配置される一対の側壁に対してそれぞれ対向するように接触する側壁７１および側壁７２を備えている。側壁７１および側壁７２は、載置面Ｆからの高さが読取口５の高さとほぼ等しくなるように形成されている。また、側壁７１および側壁７２は、端部に形成される湾曲部にて側壁部３ｃの隅部に対して嵌合するように形成されている。
【００４４】
載置部８０は、一対の梁部８１，８２と、梁部８１の一端側８１ａと梁部８２の一端側８２ａとを連結する連結部８３とを備えている。梁部８１および梁部８２は、一端側８１ａと一端側８２ａとの対向距離（図１２のＷ２参照）がパスポート１００の幅（図２のＷ１参照）に対して僅かに大きくなるように離れた状態で、連結部８３とともに支持部材９１，９２により下方から支持されるように側壁７１に連結されている。また、梁部８１および梁部８２は、他端側８１ｂおよび他端側８２ｂにて、支持部材９３，９４により下方から支持されるように側壁７２に連結されている。
【００４５】
梁部８１の他端側８１ｂには、載置されたパスポート１００に対して位置決め手段として機能する位置決め部８１ｃが設けられている。この位置決め部８１ｃには、パスポート１００の文字情報１０２側の外縁（以下、一縁１０１ａともいう）が接触する接触面８１ｄと、梁部８１側の外縁（以下、側縁１０１ｂともいう）近傍の表示面１０１を下方から支持する支持面８１ｅとが形成されている。また、梁部８２の他端側８２ｂには、載置されたパスポート１００に対して位置決め手段として機能する位置決め部８２ｃが設けられている。この位置決め部８２ｃには、パスポート１００の一縁１０１ａが接触する接触面８２ｄと、梁部８２側の外縁（以下、側縁１０１ｃともいう）近傍の表示面１０１を下方から支持する支持面８２ｅとが形成されている。
【００４６】
接触面８１ｄおよび接触面８２ｄは、一縁１０１ａにて接触するパスポート１００の文字情報１０２が情報読取装置１の読取口５の中央に対向するように形成されている。また、支持面８１ｅおよび支持面８２ｅは、図１４に示すように、載置面Ｆからの高さが連結部８３と等しくなるように形成されている。
【００４７】
連結部８３は、情報読取装置１の撮像エリア（第２視野範囲ＡＲ２）内に入り込まない位置にて梁部８１の一端側８１ａと梁部８２の一端側８２ａとを連結するように配置されている。
【００４８】
各支持部材９１〜９４の高さは、載置部８０に載置されたパスポート１００の文字情報１０２が、情報読取装置１の撮像エリア（第２視野範囲ＡＲ２）内にて撮像可能に位置するように設定されている。各支持部材９１〜９４の高さは、例えば、載置部８０に載置されたパスポート１００と読取口５との距離が３０ｍｍ程度となるように設定されている。
【００４９】
このように構成されるアタッチメント６０は、基部７０における側壁７１および側壁７２の湾曲部にてケース３における側壁部３ｃの隅部に係合するように上方から組み付けることで、情報読取装置１に装着される（図１参照）。その際、ケース３の側壁部３ｃのうち幅方向両側に配置される一対の側壁の中央側には基部７０が接触しないので、この幅方向両側の側壁の中央側に設けられるケーブルやスピーカ口のような開口（図示略）等が基部７０により覆われることもない。
【００５０】
また、基部７０の側壁７１および側壁７２は、載置面Ｆからの高さが読取口５の高さとほぼ等しくなるように形成されているので、載置部８０を利用することなく情報コードなどが表示された表示媒体を読取口５にかざす場合でも、表示媒体を側壁７１の上端面や側壁７２の上端面を利用して読取口５に接触させるようにかざすことができる。すなわち、側壁７１および側壁７２を、表示媒体をかざす際のガイドとして機能させることができる。
【００５１】
次に、上述のようにアタッチメント６０が取り付けられた情報読取装置１に対してパスポート１００の文字情報１０２を読み取らせる場合について、図１５および図１６を参照して説明する。
図１５および図１６に示すように、パスポート１００の一縁１０１ａが梁部８１の接触面８１ｄと梁部８２の接触面８２ｄとに接触し、パスポート１００の表示面１０１が梁部８１の支持面８１ｅおよび梁部８２の支持面８２ｅと連結部８３とにより下方から支持されるように、パスポート１００を載置部８０に載置する。
【００５２】
これにより、載置部８０に載置されたパスポート１００の文字情報１０２が、情報読取装置１の撮像エリア内に位置し、かつ、読取口５の中央に対向する。すなわち、文字情報１０２の中心が第２視野範囲ＡＲ２の光軸Ｌ２にほぼ一致する。これにより、撮像部２３の受光面２３ａに文字情報１０２の像が結像され、撮像された表示情報が文字情報１０２であることから、この文字情報１０２が上記ＯＣＲ技術を用いて認識される。
【００５３】
以上説明したように、本実施形態に係るアタッチメント６０では、情報読取装置１の上面に形成される読取口５に対して文字情報１０２を撮像可能にパスポート１００を載置するための載置部８０が設けられている。これにより、文字情報１０２を撮像可能な所定の距離に応じて載置部８０に載置されたパスポート１００と読取口５とを離すことができるので、上面に形成される読取口５に対して文字情報１０２を撮像可能な状態でパスポート１００を容易に載置することができる。
【００５４】
さらに、載置部８０には、当該載置部８０に載置されたパスポート１００を読取口５に対して位置決めするための位置決め部８１ｃ，８２ｃが形成される。これにより、位置決め部８１ｃ，８２ｃにて位置決めされるようにパスポート１００を載置部８０に載置することで、読取口５に対する文字情報１０２の相対位置がばらつきにくくなるので、パスポート１００が容易に載置可能になるだけでなく、パスポート１００の文字情報１０２に関する読取性能を向上させることができる。
【００５５】
特に、位置決め部８１ｃの接触面８１ｄおよび位置決め部８２ｃの接触面８２ｄは、位置決めされたパスポート１００の文字情報１０２が読取口５の中央に対向するように形成されるので、文字情報１０２が読取可能に撮像されやすくなり、パスポート１００の文字情報１０２に関する読取性能をさらに向上させることができる。
【００５６】
そして、情報コードのように表示情報を読取口５に接触させた状態で読み取る表示媒体が読取対象である場合には、アタッチメント６０を情報読取装置１から取り外すことで対応できる。これにより、表示情報（例えば、情報コード）を読取口５に接触させた状態で読み取る表示媒体と文字情報１０２を読取口５から上記所定の距離だけ離した状態で読み取るパスポート１００との双方を読取対象とする情報読取装置１を容易に実現することができる。
【００５７】
なお、文字情報１０２だけでなく顔写真等も撮像する必要があれば、位置決め部８１ｃの接触面８１ｄおよび位置決め部８２ｃの接触面８２ｄは、位置決めされたパスポート１００の文字情報１０２や顔写真等が情報読取装置１の撮像エリア（第２視野範囲ＡＲ２）内にて撮像可能に位置するように形成される。これにより、位置決めされたパスポート１００の文字情報１０２や顔写真等を好適に撮像することができる。
【００５８】
［第２実施形態］
次に、本発明の第２実施形態に係るアタッチメントについて、図１７〜図２４を参照して説明する。
本第２実施形態に係るアタッチメント６０ａは、パスポート１００を挟持可能に形成される点が、上記第１実施形態に係るアタッチメントと異なる。したがって、第１実施形態のアタッチメントと実質的に同一の構成部分には、同一符号を付し、その説明を省略する。
【００５９】
図１７に示すように、本実施形態に係るアタッチメント６０ａは、上述したアタッチメント６０と同様に、文字情報１０２を撮像する際にパスポート１００を載置するための載置台として機能する情報読取装置用アタッチメントであり、情報読取装置１に対して着脱可能に形成されている。
【００６０】
図１８〜図２２に示すように、本実施形態に係るアタッチメント６０ａは、上述したアタッチメント６０に対して、載置部８０に代えて載置部８０ａを採用するように構成されている。載置部８０ａは、一対の梁部８４，８５を備えており、梁部８４の一端側８４ａと梁部８５の一端側８５ａとが支持部材９１，９２により下方から支持されるように側壁７１に連結され、梁部８４の他端側８４ｂと梁部８５の他端側８５ｂとが支持部材９３，９４により下方から支持されるように側壁７２に連結されている。
【００６１】
梁部８４の一端側８４ａには、載置されたパスポート１００に対して側縁１０１ｂ近傍の表示面１０１を下方から支持する下側挟持面８４ｃと、この下側挟持面８４ｃの外側に連なる案内面８４ｄとが形成されている。案内面８４ｄは、パスポート１００を下側挟持面８４ｃに案内するための面であって、図２２に示すように、内側の下側挟持面８４ｃに向けて滑らかに傾斜するように形成されている。梁部８４の他端側８４ｂには、載置されたパスポート１００の側縁１０１ｂ近傍に対して上方から接触する上側挟持面８４ｅと、この上側挟持面８４ｅとともに位置決め手段を構成する接触面８４ｆとが形成されている。
【００６２】
図２１に示すように、上側挟持面８４ｅは、下側挟持面８４ｃ側の端部が下側挟持面８４ｃの端部を上方から覆うように延出している。下側挟持面８４ｃおよび上側挟持面８４ｅは、パスポート１００の側縁１０１ｂを挟持する一方の挟持部８６ａとして構成されるもので、その隙間Ｓ（図２２参照）は、載置時のパスポート１００の厚さよりも僅かに大きくなるように設定されている。
【００６３】
また、梁部８５の一端側８５ａには、載置されたパスポート１００に対して側縁１０１ｃ近傍の表示面１０１を下方から支持する下側挟持面８５ｃと、この下側挟持面８５ｃの外側に連なる案内面８５ｄとが形成されている。案内面８５ｄは、パスポート１００を下側挟持面８５ｃに案内するための面であって、内側の下側挟持面８５ｃに向けて滑らかに傾斜するように形成されている。梁部８５の他端側８５ｂには、載置されたパスポート１００の側縁１０１ｃ近傍に対して上方から接触する上側挟持面８５ｅと、この上側挟持面８５ｅとともに位置決め手段を構成する接触面８５ｆとが形成されている。
【００６４】
上側挟持面８５ｅは、下側挟持面８５ｃ側の端部が下側挟持面８５ｃの端部を上方から覆うように延出している。下側挟持面８５ｃおよび上側挟持面８５ｅは、パスポート１００の側縁１０１ｃを挟持する他方の挟持部８６ｂとして構成されるもので、その隙間は、載置時のパスポート１００の厚さよりも僅かに大きくなるように設定されている。
【００６５】
梁部８４の接触面８４ｆと梁部８５の接触面８５ｆとは、一縁１０１ａにて接触するパスポート１００の文字情報１０２が情報読取装置１の読取口５の中央に対向するように形成されている。
【００６６】
各支持部材９１〜９４の高さは、一方の挟持部８６ａおよび他方の挟持部８６ｂにより挟持されるように載置されたパスポート１００の文字情報１０２が、情報読取装置１の撮像エリア（第２視野範囲ＡＲ２）内にて撮像可能に位置するように設定されている。
【００６７】
このように構成されるアタッチメント６０ａは、基部７０における側壁７１および側壁７２の湾曲部にてケース３における側壁部３ｃの隅部に係合するように上方から組み付けることで、情報読取装置１に装着される（図１７参照）。このようにアタッチメント６０ａが取り付けられた情報読取装置１に対してパスポート１００の文字情報１０２を読み取らせる場合について、図２３および図２４を参照して説明する。
【００６８】
まず、パスポート１００を、その側縁１０１ｂ，１０１ｃ近傍の下面にて下側挟持面８４ｃと下側挟持面８５ｃとに対して上方から接触させる。その際、パスポート１００は、案内面８４ｄおよび案内面８５ｄにより下側挟持面８４ｃ，８５ｃ上に案内されることとなる。この状態で、パスポート１００を、その一縁１０１ａが梁部８４の接触面８４ｆおよび梁部８５の接触面８５ｆに接触するまで押し込む。これにより、パスポート１００は、図２３および図２４に示すように、載置部８０ａに対して、その側縁１０１ｂが一方の挟持部８６ａにより挟持されるとともに側縁１０１ｃが他方の挟持部８６ｂにより挟持されるように載置される。
【００６９】
これにより、載置部８０ａに載置されたパスポート１００の文字情報１０２が、情報読取装置１の撮像エリア内に位置し、かつ、読取口５の中央に対向する。すなわち、文字情報１０２の中心が第２視野範囲ＡＲ２の光軸Ｌ２にほぼ一致する。これにより、撮像部２３の受光面２３ａに文字情報１０２の像が結像され、撮像された表示情報が文字情報１０２であることから、この文字情報１０２が上記ＯＣＲ技術を用いて認識される。
【００７０】
以上説明したように、本実施形態に係るアタッチメント６０では、載置部８０ａには、パスポート１００の側縁１０１ｂ，１０１ｃを上下方向から挟持する一方の挟持部８６ａおよび他方の挟持部８６ｂが形成されるため、これら挟持部８６ａ，８６ｂにより挟持された状態でパスポート１００が載置部８０ａに載置されることで、パスポート１００を載置部８０ａに対して安定して載置することができる。
【００７１】
特に、載置部８０ａの梁部８４および梁部８５には、パスポート１００を一方の挟持部８６ａの下側挟持面８４ｃや他方の挟持部８６ｂの下側挟持面８５ｃに案内する案内面８４ｄおよび案内面８５ｄが形成されるため、挟持部８６ａ，８６ｂに対してパスポート１００を容易に挟持させることができる。
【００７２】
なお、文字情報１０２だけでなく顔写真等も撮像する必要があれば、接触面８４ｆおよび接触面８５ｆは、位置決めされたパスポート１００の文字情報１０２や顔写真等が情報読取装置１の撮像エリア（第２視野範囲ＡＲ２）内にて撮像可能に位置するように形成される。これにより、位置決めされたパスポート１００の文字情報１０２や顔写真等を好適に撮像することができる。
【００７３】
［第３実施形態］
次に、本発明の第３実施形態に係るアタッチメントについて、図２５を参照して説明する。
本第３実施形態に係るアタッチメント６０ｂは、読取口５付近での光量のばらつきや光量不足を抑制するための反射部材９５が設けられる点が、上記第１実施形態に係るアタッチメントと異なる。したがって、第１実施形態のアタッチメントと実質的に同一の構成部分には、同一符号を付し、その説明を省略する。
【００７４】
図２５に示すように、本実施形態に係るアタッチメント６０ｂは、上述したアタッチメント６０に対して反射部材９５が追加されるように構成されている。この反射部材９５は例えばミラーとして構成され、各支持部材９１〜９４の内側面であって、周囲から入射する光を読取口５に向けて反射するように配置されている。
【００７５】
これにより、上方に載置されたパスポート１００により読取口５の上方が覆われる場合でも、反射部材９５により周囲の光が読取口５に向けて反射されるため、読取口５付近での光量のばらつきや光量不足が抑制されやすくなる。このため、パスポート１００により読取口５の上方が覆われることに起因する読取性能の低下を抑制することができる。
【００７６】
なお、反射部材９５は、各支持部材９１〜９４の内側面に設けられることに限らず、例えば、載置部８０の内側面に設けられてもよいし、各支持部材９１〜９４と載置部８０との双方の内側面に設けられてもよい。
【００７７】
また、上述したアタッチメント６０ａに対して載置部８０ａおよび各支持部材９１〜９４の内側面の少なくとも一部に反射部材９５が設けられても、上記効果を奏する。
【００７８】
［第４実施形態］
次に、本発明の第４実施形態に係る情報読取装置について、図２６および図２７を参照して説明する。
本第４実施形態に係る情報読取装置は、アタッチメントが組み付けられたことが検出されると所定の処理が行われる点が、上記第１実施形態に係る情報読取装置と異なる。したがって、第１実施形態の情報読取装置と実質的に同一の構成部分には、同一符号を付し、その説明を省略する。
【００７９】
本実施形態に係る情報読取装置１は、制御手段として機能する制御回路４０により、バーコードやＱＲコード等の情報コードを光学的に読み取るためのアルゴリズムが動作する第１モードと、上記情報コードの読み取りに加えてＯＣＲ技術を用いて文字情報等を認識するためのアルゴリズムが動作する第２モードとを、アタッチメントの組み付けの有無に応じて切り替えるように構成されている。ここで、ＯＣＲ技術を用いて文字情報等を認識するための処理は、アタッチメントが組み付けられたことが検出されることで制御回路４０により行われる「所定の処理」に相当し、第１モードの情報読取装置１では行うことができない処理である。
【００８０】
特に、本実施形態では、上述した第１モードと第２モードとを切り替えるために、特定のパターンが用意されている。この特定のパターンが撮像部２３によって撮像可能な状態である場合に上記第２モードに切り替えられ、上記特定のパターンが撮像部２３によって撮像可能な状態でない場合に上記第１モードに切り替えられる。
【００８１】
このため、本実施形態では、アタッチメントの表面のうち情報読取装置１に組み付けられた状態にて撮像部２３により撮像される面に、上記特定のパターンが表示されている。具体的には、例えば、図２６に例示するように、アタッチメント６０の載置部８０における連結部８３の下面は、情報読取装置１に組み付けられた状態にて読取口５に対向する対向面であって撮像部２３により撮像される面であり、この下面には、連結部８３の内縁８３ｂよりも外側に特定のパターン８７が貼り付けにより表示されている。この特定のパターン８７は、白色のパターンと黒色のパターンとが一定の方向に沿い交互に配置されて形成されている。
【００８２】
このため、図２６に示すアタッチメント６０が情報読取装置１に組み付けられた状態で撮像部２３を動作させると、図２７に示す撮像画像Ｔにおいて、常に、特定のパターン８７が連結部８３の一部とともに特定の位置（図７の領域Ｔ１参照）に位置するように撮像される。なお、図２７や後述する図２９，図３０では、便宜上、連結部８３の下面を簡素に図示し、連結部８３を除くアタッチメント６０の図示を省略している。
【００８３】
そこで、本実施形態では、撮像部２３により撮像される撮像画像について制御回路４０による画像解析がなされて、図２７に示すように特定のパターン８７が撮像されていると判断されると、アタッチメント６０の組み付けが検出されて、上記第２モードに切り替えられる。一方、撮像部２３により撮像される撮像画像に特定のパターン８７が含まれていないと、アタッチメント６０が組み付けられていないと判断されて、上記第２モードに切り替えられることなく上記第１モードが維持され、ＯＣＲ機能が実施不可能となる。
【００８４】
以上説明したように、本実施形態に係る情報読取装置１では、アタッチメントが組み付けられたことが検出されると、制御回路４０により第２モードに切り替えられてＯＣＲ技術を用いて文字情報等を認識するための処理（所定の処理）が行われる。これにより、アタッチメントが情報読取装置１に組み付けられない限り上記所定の処理が行われることもないで、アタッチメントの組み付けの有無に応じて情報読取装置１の機能を制限することができる。
【００８５】
特に、アタッチメント６０に表示される特定のパターン８７が撮像部２３により撮像されることで、アタッチメント６０の組み付けが検出される。これにより、パスポートや情報コード等の表示媒体を撮像するために必要な撮像部２３を用いてアタッチメント６０の組み付けが検出されるので、アタッチメント６０の組み付けを検出するための専用部品が不要となり、情報読取装置１の部品点数の削減および製造コスト低減を図ることができる。
【００８６】
なお、特定のパターン８７は、アタッチメント６０に表示されることに限らず、上述したアタッチメント６０ａやアタッチメント６０ｂ等、他のアタッチメントにも表示することができる。このようにしても、情報読取装置１へのアタッチメントの組み付け時にこのアタッチメントに表示された特定のパターン８７が撮像部２３により撮像されることで、当該アタッチメントの組み付けを検出することができる。例えば、図２８に例示するように、アタッチメント６０ａの載置部８０における梁部８４の下面に特定のパターン８７が表示され、この特定のパターン８７が撮像されることでも、アタッチメント６０ａの組み付けを検出することができる。
【００８７】
なお、アタッチメントが組み付けられたことが検出されることで所定の処理を行う本実施形態の特徴的構成は、他の実施形態にも適用することができる。
【００８８】
［第５実施形態］
次に、本発明の第５実施形態に係る情報読取装置について、図２９を参照して説明する。
本第５実施形態に係る情報読取装置は、アタッチメントの組み付けの検出によって行われる所定の処理が特定のパターンの種別に応じて複数種類用意される点が、上記第４実施形態に係る情報読取装置と異なる。したがって、第４実施形態の情報読取装置と実質的に同一の構成部分には、同一符号を付し、その説明を省略する。
【００８９】
本実施形態では、複数種類の特定のパターンとして、図２９に例示するように、３種類の特定のパターン８７，８７ａ，８７ｂが用意されている。ここで、特定のパターン８７ａは、白色の中心円の外側に黒色のリング、白色のリング、黒色のリングが同心円状に配置するように形成されている。また、特定のパターン８７ｂは、黒色の正方形の外側に白色の矩形状リング、黒色の矩形状リングが同心状に配置するように形成されている。
【００９０】
そして、撮像部２３により撮像される撮像画像Ｔのうち連結部８３の下面の少なくとも一部に相当する特定の領域Ｔ２（図２９参照）にて検出される特定のパターンの種類に応じて制御回路４０により所定のアルゴリズムが動作する。具体的には、本実施形態では、特定のパターン８７が検出されると、ＯＣＲ技術を用いて文字情報等を認識するためのアルゴリズムが動作する。また、特定のパターン８７ａが検出されると、バーコード等の一次元コードを光学的に読み取るためのアルゴリズムが動作し、特定のパターン８７ｂが検出されると、ＱＲコード等の二次元コードを光学的に読み取るためのアルゴリズムが動作する。
【００９１】
このため、本実施形態では、例えば、特定のパターン８７，８７ａ，８７ｂが全て撮像部２３により撮像されて上記特定の領域Ｔ２内にて検出されることで、情報読取装置１は、一次元コードおよび二次元コードを読み取る機能とＯＣＲ機能とが実施可能となる。これに対して、例えば、特定のパターン８７ａ，８７ｂが撮像部２３により撮像されて上記特定の領域Ｔ２内にて検出され特定のパターン８７が検出されない場合には、情報読取装置１は、一次元コードおよび二次元コードを読み取る機能が実施可能となる一方で、ＯＣＲ機能が実施不可能となる。
【００９２】
以上説明したように、本実施形態に係る情報読取装置１では、アタッチメントの組み付けの検出によって行われる所定の処理は、撮像部２３により撮像された特定のパターンの種類ごとに異なるため、アタッチメントを組み付けることで実施可能となる所定の処理を複数種類用意することができる。
【００９３】
特に、撮像部２３により撮像された撮像画像Ｔのうち特定の領域Ｔ２に含まれる１または２以上の特定のパターンについて所定の処理が行われるので、撮像画像Ｔのうち上記特定の領域Ｔ２と異なる領域に含まれる特定のパターンについては対応する所定の処理がなされることもない。これにより、意図しない特定のパターンに対応して不要な所定の処理が行われることを防止することができる。
【００９４】
上記第５実施形態の変形例として、特定の領域Ｔ２内にて検出可能にアタッチメントに表示される特定のパターンは、所定のコード種別にて生成される一次元コードや二次元コード等の情報コードであってもよい。この場合、制御回路４０にてなされる所定の処理は、撮像部２３により特定のパターンとして撮像された情報コードと同じコード種別の情報コードのデコード処理とすることができる。
【００９５】
例えば、図３０に例示するように、バーコードからなる特定のパターン８７ｃとＱＲコードからなる特定のパターン８７ｄが特定の領域Ｔ２内にて検出される場合には、撮像画像Ｔのうち特定の領域Ｔ２と異なる領域について、バーコードおよびＱＲコードを読み取る機能が実施可能となる。
【００９６】
これにより、アタッチメントには、読み取りたいコード種別の情報コードを撮像部２３にて撮像可能に表示するだけでよいので、アタッチメントに対して特定のパターンを容易に表示することができる。
【００９７】
なお、アタッチメントの組み付けの検出によって行われる所定の処理が特定のパターンの種別に応じて複数種類用意される本実施形態の特徴的構成は、他の実施形態にも適用することができる。
【００９８】
［第６実施形態］
次に、本発明の第６実施形態に係る情報読取装置について、図３１〜図３３を参照して説明する。
本第６実施形態に係る情報読取装置は、偽造防止機能を有するように特定のパターンが形成される点が、上記第４実施形態に係る情報読取装置と異なる。したがって、第４実施形態の情報読取装置と実質的に同一の構成部分には、同一符号を付し、その説明を省略する。
【００９９】
本実施形態に係る情報読取装置１の利用方法として、同じ情報読取装置１を利用する者でも、限定された会員等のみに所定の処理の実施を許可し、他の者では当該所定の処理の実施を許可しないようにすることができる。しかしながら、上述したように特定のパターンを撮像部２３にて撮像することで所定の処理の実施を許可する構成では、偽造された特定のパターンを撮像部２３にて撮像することで、上記他の者でも当該所定の処理が実施されてしまう虞がある。
【０１００】
そこで、本実施形態では、上記所定の処理に関する不正使用を防止するため、アタッチメントに表示する特定のパターンを、明色系パターンおよび暗色系パターンの二色のパターンから構成してそのコントラストが低くなるように生成する。具体的には、例えば、図３１に例示する特定のパターン８８のように、明色系パターン８９ａと暗色系パターン８９ｂとを一定の方向に沿い交互に配置し、これら明色系パターン８９ａおよび暗色系パターン８９ｂのコントラストが低くなるように生成する。
【０１０１】
そして、撮像部２３により撮像された撮像画像における特定のパターンの輝度値に関する信号とノイズとの比であるＳ／Ｎ比が所定の閾値以下であると、制御回路４０による上記所定の処理の実施を許可し、Ｓ／Ｎ比が上記所定の閾値を超えるパターンを撮像しても、上記所定の処理の実施を許可しない。ここで、上記所定の閾値は、本実施形態では、特定のパターン８８等、アタッチメントに表示される特定のパターンを撮像した際の撮像画像における輝度値に関するＳ／Ｎ比として想定される値よりもわずかに大きな値に設定されている。
【０１０２】
これにより、特定のパターン８８に相当する特定のパターンを撮像部２３により撮像した撮像画像では、図３２に例示するように、輝度値に関するＳ／Ｎ比が比較的低くなり、このＳ／Ｎ比が上記所定の閾値以下となることで、制御回路４０による上記所定の処理の実施が許可される。一方、特定のパターン８８に相当する特定のパターンを単にコピー（複写）して偽造したパターンでは、コントラストが低いことからその特定のパターンと同じようなコントラストに調整することが困難でありその特定のパターンが表示されてアタッチメントに貼り付けられている用紙の紙質も影響して、撮像画像から認識されるパターンが変化してしまう。この場合には、図３３に例示するように、偽造パターンを撮像した撮像画像では輝度値に関するＳ／Ｎ比が、低コントラストの正規のパターンに対して比較的高くなる。このため、同じ情報読取装置１を利用する場合でも、制御回路４０により上記所定の処理が行われることもない。これにより、特定のパターンに偽造防止機能をもたせることができ、偽造された特定のパターンを利用した上記所定の処理の不正使用を防止することができる。
【０１０３】
なお、偽造防止機能を有するように特定のパターンが形成される本実施形態の特徴的構成は、他の実施形態にも適用することができる。
【０１０４】
［第７実施形態］
次に、本発明の第７実施形態に係るアタッチメントについて、図３４〜図３７を参照して説明する。
本第７実施形態に係るアタッチメント６０ｄは、載置部８０に対して透明部６２を有するプレート６１を組み付けて構成される点が、上記第１実施形態に係るアタッチメントと異なる。したがって、第１実施形態のアタッチメントと実質的に同一の構成部分には、同一符号を付し、その説明を省略する。
【０１０５】
本発明が読取対象とする表示媒体は、変形しにくい規定形状のパスポートに限らず、稀に、例えば、表示情報を表示した表示面が柔らかい紙面や規定形状と異なる面から形成される場合がある。このように形成される表示媒体では、上記表示面が読取口５に対して対向するように載置部８０に載置されにくく、そのために表示情報の読み取りが失敗してしまう場合がある。
【０１０６】
例えば、硬い表表紙や裏表紙に挟まれる比較的柔らかい用紙の表示面１１１に表示情報が表示されるパスポート１１０を読み取る場合、図３７に例示するように、載置部８０への載置時に表示面１１１の先端側が支持面８１ｅや支持面８２ｅに支えられていないと、表示面１１１が下方に曲がってしまい、表示情報が上手く撮像できないという問題がある。また、例えば、表表紙や裏表紙が規定形状であっても表示情報が表示される表示面が規定形状よりも小さくなっているパスポートを読み取る場合にも、載置部８０への載置時に表示面の先端側が支持面８１ｅや支持面８２ｅに支えられずに下方に曲がってしまい、表示情報が上手く撮像できないという問題がある。なお、図３７では、便宜上、情報読取装置１の図示を省略し、パスポート１１０に関して表示面１１１が形成される用紙を除く一部の表紙等を省略している。
【０１０７】
そこで、本実施形態に係るアタッチメント６０ｄは、図３４および図３５に示すように、上述した載置部８０に対してプレート６１が新たに組み付けられるように構成されている。このプレート６１は、梁部８１の一端側８１ａと梁部８２の一端側８２ａとの間にて支持面８１ｅおよび支持面８２ｅの上面と連結部８３の上面とに接着等されて固定されている。これにより、プレート６１は、その上面にて読取口５の中央に対向させたパスポート１００の表示面１０１を下方から平面的に支えるように機能する。
【０１０８】
プレート６１は、合成樹脂等からなる透明の平板状部材に対してその上面の一部をフィルム等により被覆することで透明部６２と遮光部６３とを有するように形成されている。上記被覆部分は、連結部８３の上方の位置する第１被覆部分６４ａと、接触面８１ｄ，８２ｄ側の帯状の第２被覆部分６４ｂとにより形成され、第１被覆部分６４ａと第２被覆部分６４ｂとの間には長方形状の透明部分が形成される。このため、プレート６１は、上記被覆部分６４ａ，６４ｂにて覆われていない部分、すなわち、文字情報１０２と読取口５との間に介在する部分が透明部６２として構成され、上記被覆部分６４ａ，６４ｂにて覆われる部分、すなわち、透明部６２を除く部分が遮光部６３として構成される。
【０１０９】
また、第１被覆部分６４ａには、図３５に示すように、表示媒体の配置方法を容易に認識させるため、パスポート１００をプレート６１上に配置する際の配置方法を図示化した情報６５等を表示することができる。なお、図３４では、便宜上、上記情報６５の図示を省略している。また、図３４および図３５では、便宜上、透明部６２を介して視認される部分を二点鎖線にて図示している。
【０１１０】
次に、上述のようにアタッチメント６０ｄが取り付けられた情報読取装置１に対してパスポート１００の文字情報１０２を読み取らせる場合について、図３６を参照して説明する。なお、図３６では、便宜上、情報読取装置１の図示を省略している。
【０１１１】
図３６に示すように、パスポート１００の一縁１０１ａが梁部８１の接触面８１ｄと梁部８２の接触面８２ｄとに接触し、パスポート１００の表示面１０１がプレート６１の上面により下方から支持されるように、パスポート１００を載置部８０に載置する。このとき、表示面１０１はその全面にてプレート６１の上面に接触しているので、パスポート１００を上方から押さえることで、表示面１０１をプレート６１の上面に押し付けることができる。
【０１１２】
このような押し付け状態では、載置部８０に載置されたパスポート１００の文字情報１０２が、情報読取装置１の透明部６２を介した撮像エリア内に位置し、かつ、読取口５の中央に対向する。このような状態にて、撮像部２３の受光面２３ａに文字情報１０２の像が結像され、撮像された表示情報が文字情報１０２であることから、この文字情報１０２が上記ＯＣＲ技術を用いて認識される。
【０１１３】
以上説明したように、本実施形態に係るアタッチメント６０ｄでは、載置部８０に対して組み付けられて、パスポート１００の少なくとも一部を下方から支えるプレート６１が設けられている。そして、プレート６１は、文字情報１０２と読取口５との間に介在する部分が透明部６２として構成される。
【０１１４】
これにより、文字情報１０２が表示されるパスポート１００の表示面１０１をプレート６１に押し付けた状態でも透明部６２を介して文字情報１０２を撮像できるため、表示情報を表示した表示面が柔らかい紙面や規定形状と異なる面等から形成される表示媒体であっても載置部８０に安定して載置しやすくなるので、読み取りに関する作業性を向上させることができる。
【０１１５】
また、プレート６１は、文字情報１０２と読取口５との間に介在する部分が透明部６２として構成され、当該透明部６２を除く部分が遮光部６３として構成される。このように遮光部６３があることから、この遮光部６３を除く透明部６２が表示情報を撮像するための撮像エリアとして認識されやすくなる。このため、プレート全体が透明部として構成される場合と比較して、読取口５に対して表示情報を撮像可能に向けやすくなり、読み取りに関する作業性をさらに向上させることができる。
【０１１６】
なお、プレート６１は、上述した被覆部分６４ａ，６４ｂにより透明部６２および遮光部６３を有するように構成されることに限らず、載置部８０の形状等に応じて、全て透明部として構成される場合を含めて少なくとも表示情報と読取口５との間に介在する部分が透明部として構成されてもよい。また、透明部６２は、その表面が被覆部分６４ａ，６４ｂにより長方形状に形成されることに限らず、例えば、楕円形状等、撮像エリアとして認識されやすい形状に形成されてもよい。また、プレート６１を載置部に組み付ける本実施形態の特徴的構成は、他の実施形態にも適用することができる。
【０１１７】
［第８実施形態］
次に、本発明の第８実施形態に係るアタッチメントについて、図３８を参照して説明する。
本第８実施形態に係るアタッチメント６０ｅは、組み付けられた情報読取装置１の読取口５の周囲を覆うように形成される点が、上記第１実施形態に係るアタッチメント６０と異なる。したがって、第１実施形態のアタッチメントと実質的に同一の構成部分には、同一符号を付し、その説明を省略する。
【０１１８】
例えば、直上のスポット光源からの照射光など、強い外来光が情報読取装置１の読取口５に入射する可能性が有る環境等では、この外来光のために表示情報が読み取り容易に撮像できない場合がある。レンズ内部で外来光が反射等して、撮像した表示情報に対してともに撮像した外来光のためにかすれ等が生じるためである。
【０１１９】
そこで、本実施形態に係るアタッチメント６０ｅは、図３８に示すように、載置部８０ｃに載置された表示媒体（パスポート１００）とにより読取口５を覆うための壁部２００を備えるように構成されている。この壁部２００は、位置決め部８１ｃを有する梁部８１および位置決め部８２ｃを有する梁部８２や連結部８３を備えるように構成される載置部８０ｃと一体であって、上壁２０１と周壁２０２とを備えるように形成されている。
【０１２０】
上壁２０１は、梁部８１の他端側と梁部８２の他端側とを連結することで、連結部８３との間に開口２０３を構成するように形成されている。周壁２０２は、基部７０および支持部材９１〜９４の機能を兼ね備えるもので、載置部８０ｃと読取口５との間を環状にて覆うように形成されている。これにより、アタッチメント６０ｅを情報読取装置１に組み付けた状態では、開口２０３を除き、外来光が読取口５に入射し難くなる。
【０１２１】
このように構成されるアタッチメント６０ｅを情報読取装置１に組み付けた状態で載置部８０ｃにパスポート１００を載置すると、パスポート１００により開口２０３が覆われるため、このパスポート１００および載置部８０ｃや壁部２００により読取口５が閉塞される閉塞空間が形成される。このため、強い外来光であっても読取口５に入射し難くなるので、パスポート１００の文字情報（表示情報）１０２の撮像に関して外来光の影響を抑制することができる。
【０１２２】
本実施形態の変形例として、壁部２００は、少なくとも一部が、透過部材２０４として、透過する光を拡散する拡散透過部材または透過する光を減衰する減衰透過部材により形成されてもよい。ここで、上記拡散透過部材は、例えば、透明部材の表面に微細な凹凸処理を施すことで形成することができる。また、上記減衰透過部材としては、例えば、特定の色の光を透過するカラーフィルターを採用することができる。これにより、拡散透過部材または減衰透過部材を設ける位置に応じて、上記閉塞空間内において撮像部２３による視野範囲内を明るくする、もしくは視野範囲内の明るさを均一に近づけやすくなるので、強い外来光の影響を抑制しつつ、拡散透過部材または減衰透過部材を透過する外来光を表示情報に対する照明として利用しやすくすることができる。
【０１２３】
具体的には、壁部２００は、撮像部２３による視野範囲において照度不足が生じやすい領域に対して外来光を入射させるため、例えば、図３９の符号２０４にて例示するように、読取口５の短縁（前後方向に伸びる縁）側に位置する部位がそれぞれ拡散透過部材となるように形成することができる。撮像部２３の視野範囲において、照度不足が生じやすい視野中心（光軸）から離れた視野範囲の外縁（長方形状となる視野範囲の長手方向両端の領域）は、読取口５の短縁側に位置するためである。これにより、視野範囲に対する照度を適切に調整することができ、表示情報を読み取り容易に撮像することができる。
【０１２４】
なお、壁部２００や拡散透過部材または減衰透過部材を有するアタッチメントに関する本実施形態の特徴的構成は、他の実施形態のアタッチメントにも適用することができる。
【０１２５】
［第９実施形態］
次に、本発明の第９実施形態に係る情報読取装置について、図４０〜図４３を参照して説明する。
本第９実施形態に係る情報読取装置１ａは、照明光源２１と異なる補助光源を備える点が、上記第１実施形態に係る情報読取装置と異なる。したがって、第１実施形態の情報読取装置と実質的に同一の構成部分には、同一符号を付し、その説明を省略する。
【０１２６】
本実施形態に係る情報読取装置１ａは、図４０および図４１に示すように、照明光源２１だけでなく一対の補助光源２２を備えるように構成されている。補助光源２２は、制御回路４０により制御されて、アタッチメント６０の載置部８０に載置されたパスポート（表示媒体）１００の文字情報（表示情報）１０２に対して第２の照明光Ｌｆ２を照射するための光源として機能する。特に、補助光源２２は、図４２に示すように、載置部８０に載置されたパスポート１００を撮像する際の撮像部２３の長方形状の視野範囲ＡＲａにおいて、照度不足が生じやすい視野中心（光軸）から離れた視野範囲の外縁（長方形状となる視野範囲の長手方向両端の領域）Ｓａに対して第２の照明光Ｌｆ２を照射するようにそれぞれ読取口５の短縁側近傍に配置されている。なお、図４２では、便宜上、アタッチメント６０の図示を省略している。
【０１２７】
ここで、補助光源２２を設ける理由について、図４３を参照して説明する。なお、図４３では、二点鎖線Ｘ１−Ｘ１にて、読取口５近傍での照度分布（照明分布）を示し、二点鎖線Ｘ２ａ−Ｘ２ａにて、載置部８０近傍（二点鎖線Ｘ２−Ｘ２参照）における照明光源２１のみによる照度分布を示し、二点鎖線Ｘ２ｂ−Ｘ２ｂにて、載置部８０近傍における補助光源２２のみによる照度分布を示し、二点鎖線Ｘ２ｃ−Ｘ２ｃにて、載置部８０近傍における照明光源２１および補助光源２２による照度分布を示す。
【０１２８】
上述した情報読取装置１のように、視野範囲の中心部Ｐ１を通る照明光の照度よりも、視野範囲内の周縁部寄りに定められた所定の高照度領域βを通る照明光の照度のほうが大きくなるように照明光を導く照明光源２１の構成（図１０参照）では、アタッチメント６０が組み付けられていない状態で表示媒体が読取口５に直接かざされる場合に最適な照度分布となる（図４３の二点鎖線Ｘ１−Ｘ１参照）。すなわち、照明光源２１は、アタッチメント６０が組み付けられていない状態を基準に、読取口５にかざされる表示媒体の表示情報に対して第１の照明光Ｌｆ１を照射する主光源として機能する。
【０１２９】
一方、このような情報読取装置１の構成では、アタッチメント６０の載置部８０近傍（図４３の二点鎖線Ｘ２−Ｘ２参照）では、図４３の二点鎖線Ｘ２ａ−Ｘ２ａに示すように、視野中心（光軸）から離れた視野範囲の外縁（図４２のＳａ参照）が暗くなり照度不足が生じてしまう。この照度不足は、読取口５近傍にて、視野範囲の中心部Ｐ１を通る照明光の照度と視野範囲内の周縁部寄りを通る照明光の照度とが等しくなるように照明光を導く従来の構成であっても、同様に生じる問題である。
【０１３０】
このように、載置部８０近傍にて視野中心から離れた視野範囲の外縁（図４２のＳａ参照）で照度不足が生じると、その領域の表示情報を読み取り可能に撮像できない場合があり、この場合には、表示情報の読み取りが失敗してしまうという問題が生じる。
【０１３１】
このため、本実施形態では、図４３の二点鎖線Ｘ２ｂ−Ｘ２ｂにて示すように、載置部８０近傍にて視野中心から離れた視野範囲の外縁に対して第２の照明光Ｌｆ２を照射するように補助光源２２を設ける。これにより、アタッチメント６０の載置部８０近傍では、第２の照明光Ｌｆ２により第１の照明光Ｌｆ１の照度不足部分が補われ、図４３の二点鎖線Ｘ２ｃ−Ｘ２ｃに示すように、視野中心から離れた視野範囲の外縁での照度分布を改善して最適化することができる。
【０１３２】
以上説明したように、本実施形態に係る情報読取装置１ａでは、アタッチメント６０が組み付けられていない状態を基準に読取口５にかざされる表示媒体の表示情報に対して第１の照明光Ｌｆ１を照射する照明光源２１と、載置部８０に載置された表示媒体の表示情報に対して第２の照明光Ｌｆ２を照射する補助光源２２と、が設けられている。これにより、アタッチメント６０が組み付けられていない状態で表示媒体が読取口５にかざされる場合と、アタッチメント６０が組み付けられた状態で載置部８０に表示媒体が載置される場合とで、それぞれ照度分布を容易に最適化できるので、組み付けの有無にかかわらず表示情報を読み取り容易に撮像することができる。
【０１３３】
特に、補助光源２２は、第２の照明光Ｌｆ２にて撮像部２３による視野範囲の長手方向両端となる外縁を照射するように配置される。これにより、照度不足が生じやすい視野範囲の外縁に第２の照明光が照射されることで、視野範囲に対する照度を適切に調整することができ、表示情報を読み取り容易に撮像することができる。
【０１３４】
なお、補助光源２２は、第２の照明光Ｌｆ２にて、撮像部２３による視野範囲の長手方向両端となる外縁を照射するように配置されることに限らず、外来光等の環境を考慮して、撮像部２３による視野範囲の外縁の少なくとも一部を照射するように配置されてもよい。また、補助光源２２は、第２の照明光Ｌｆ２にて、撮像部２３による視野範囲の長手方向両端となる外縁のうち、短手方向中央（図４２の符号Ｓａ参照）を照射するように配置されてもよいし、当該外縁を短手方向に沿い帯状に照射するように配置されてもよい。
【０１３５】
また、補助光源２２は、第２の照明光Ｌｆ２が直接撮像部２３による視野範囲の長手方向両端となる外縁等に照射されるように配置されてもよいし、第２の照明光Ｌｆ２がアタッチメント６０の光学的な透明部分を介して撮像部２３による視野範囲の長手方向両端となる外縁等に照射されるように配置されてもよい。このように、第２の照明光Ｌｆ２を直接照射することで第２の照明光Ｌｆ２が減衰しないため、第２の照明光Ｌｆ２を効率的に利用することができる。また、補助光源２２は、撮像部２３による視野範囲の長手方向両端となる外縁に向けて第２の照明光Ｌｆ２を照射するように構成されることに限らず、撮像部２３による視野範囲のうちの所望の領域に向けて第２の照明光Ｌｆ２を照射するように構成されてもよい。
【０１３６】
なお、補助光源２２は、一対設けられることに限らず、照度不足を改善すべき箇所に応じて、１つ設けられてもよいし、３つ以上設けられてもよい。また、補助光源２２を有する情報読取装置に関する本実施形態の特徴的構成は、他の実施形態の情報読取装置にも適用することができる。
【０１３７】
［第１０実施形態］
次に、本発明の第１０実施形態に係るアタッチメントについて、図４４〜図４６を参照して説明する。
本第１０実施形態に係るアタッチメント６０ｆは、上記第９実施形態と同様に情報読取装置１ａに組み付けられるものであって、第２の照明光による照度を調整する部材が設けられる点が、上記第９実施形態におけるアタッチメント６０と異なる。したがって、第９実施形態と実質的に同一の構成部分には、同一符号を付し、その説明を省略する。
【０１３８】
本実施形態に係るアタッチメント６０ｆは、上記アタッチメント６０に対して第１の照度調整部材２１０を追加するように構成されている。この第１の照度調整部材２１０は、図４４に示すように、基部２１１とこの基部２１１の上端に対して上方に拡がるように連結される反射部２１２とを備え、補助光源２２から照射される第２の照明光Ｌｆ２を反射部２１２にて外側に向けて反射させるように配置されている。特に、反射部２１２は、外側に反射した第２の照明光Ｌｆ２が梁部８１，８２等にて反射して載置部８０近傍において撮像部２３による視野範囲の長手方向両端となる外縁に向かうようにその拡がり角度が設定されている。
【０１３９】
ここで、第１の照度調整部材２１０を設ける理由について、図４５および図４６を参照して説明する。
補助光源２２としてＬＥＤ等の様に照射角度が小さな光源（直進性の良い光源）を採用する場合、載置部８０近傍（図４５の二点鎖線Ｘ２−Ｘ２参照）では、図４５の二点鎖線Ｘ２ｂ−Ｘ２ｂからわかるように第２の照明光Ｌｆ２がスポット状の照明となるため、第２の照明光Ｌｆ２が撮像画像に映り込んでしまい、表示情報を読み取り可能に撮像できない場合がある。
【０１４０】
そこで、本実施形態では、第１の照度調整部材２１０により第２の照明光Ｌｆ２を間接照明的に利用する。図４６に示すように、補助光源２２から照射される第２の照明光Ｌｆ２は、第１の照度調整部材２１０の反射部２１２にて外側に向けて反射された後、梁部８１，８２等にてさらに反射して内側に向かう。このような反射を繰り返すことで、第２の照明光Ｌｆ２による載置部８０近傍での照度分布が平滑化される。なお、図４６では、図４４での位置決め部８２ｃ近傍での反射状態を拡大して図示しており、便宜上、第２の照明光Ｌｆ２を直線状にて示している。
【０１４１】
このように、ＬＥＤ等の様に照射角度が小さな光源を補助光源２２として採用する場合でも、第２の照明光Ｌｆ２を間接照明的に利用することで載置部８０近傍での第２の照明光Ｌｆ２の照度分布を容易に平滑化でき、第１の照明光Ｌｆ１とともに視野範囲に対する照度が適切に調整されることで、表示情報を読み取り容易に撮像することができる。特に、第２の照明光Ｌｆ２の照射角度を拡げるための専用のレンズ等も不要になり、補助光源２２を有する情報読取装置１ａが簡素化されて、装置自体の小型化を実現することができる。
【０１４２】
なお、第１の照度調整部材２１０は、基部２１１および反射部２１２を有するように形成されることに限らず、１回または複数回での反射を利用して第２の照明光Ｌｆ２を間接照明的に視野範囲の長手方向両端となる外縁に向けるように形成されてもよい。また、第１の照度調整部材２１０は、第２の照明光Ｌｆ２を全て反射させるように形成されることに限らず、第２の照明光Ｌｆ２の一部を間接照明的に反射させるように形成されてもよい。
【０１４３】
本実施形態の変形例として、第２の照明光Ｌｆ２を反射させて照度を調整する第１の照度調整部材２１０に代えて、第２の照明光Ｌｆ２を屈折または散乱させて照度を調整する第２の照度調整部材２２０を設けるようにアタッチメント６０ｆを構成してもよい。この変形例では、図４７に示すように、第２の照度調整部材２２０を透過する第２の照明光Ｌｆ２が屈折または散乱することで、第２の照明光Ｌｆ２による載置部８０近傍での照度分布が平滑化される。このようにしても、載置部８０近傍での第２の照明光Ｌｆ２の照度分布を容易に平滑化でき、第１の照明光Ｌｆ１とともに視野範囲に対する照度が適切に調整されることで、表示情報を読み取り容易に撮像することができる。また、第２の照明光Ｌｆ２の照射角度を拡げるための専用のレンズ等も不要になり、補助光源２２を有する情報読取装置１ａが簡素化されて、装置自体の小型化を実現することができる。
【０１４４】
なお、第２の照度調整部材２２０は、第２の照明光Ｌｆ２を全て屈折または散乱させるように形成されることに限らず、第２の照明光Ｌｆ２の一部を屈折または散乱させるように形成されてもよい。
【０１４５】
なお、補助光源２２に対して第１の照度調整部材２１０や第２の照度調整部材２２０を設けるアタッチメントに関する本実施形態の特徴的構成は、補助光源２２を有する情報読取装置に対して組み付けられる他の実施形態のアタッチメントにも適用することができる。
【０１４６】
［第１１実施形態］
次に、本発明の第１１実施形態に係る情報読取装置について、図４８を参照して説明する。
本第１１実施形態に係る情報読取装置１ａは、利用状況等に応じて補助光源２２の制御を変更する点が、上記第９実施形態に係る情報読取装置と異なる。したがって、第９実施形態の情報読取装置と実質的に同一の構成部分には、同一符号を付し、その説明を省略する。
【０１４７】
本実施形態では、光源制御手段として機能する制御回路４０により補助光源２２を制御することで、第２の照明光Ｌｆ２の波長、発光強度および発光タイミング（発光開始時期、発光時間、発光終了時期等）の少なくとも１つを利用状況等に応じて選択的に変更する。具体的には、本実施形態では、アタッチメント６０が組み付けられているか否かを検出し、組み付け検出時に補助光源２２を白色にて発光させて上述した照度分布改善のために利用し、組み付け未検出時に補助光源２２を青色にて発光させて読取結果の報知に利用する。このため、補助光源２２は、白色および青色の発光色を含めた複数での発光色にて所定の発光強度および発光タイミングで発光可能に構成される。なお、アタッチメント６０の組み付けは、上述した特定のパターン８７等の撮像に応じて検出されてもよいし、接触スイッチ等の検出手段を利用して検出されてもよい。
【０１４８】
以下、補助光源２２等を制御する際に制御回路４０にて行われる光源制御処理について、図４８に示すフローチャートを用いて説明する。
情報読取装置１ａに対する所定の操作等に応じて制御回路４０により光源制御処理が開始されると、まず、図４８のステップＳ１０１に示す判定処理にて、アタッチメント６０が情報読取装置１ａに組み付けられていることが検出されているか否かについて判定される。ここで、上述した検出方法によりアタッチメント６０が情報読取装置１ａに組み付けられていることが検出されると（Ｓ１０１でＹｅｓ）、制御回路４０により制御されて、照明光源２１（第１光源２１ａ，２１ｂおよび第２光源２１ｃ，２１ｄ）により第１の照明光Ｌｆ１が照射されるとともに（Ｓ１０３）、補助光源２２により第２の照明光Ｌｆ２が照射される（Ｓ１０５）。特に、補助光源２２は、このようにアタッチメント６０が情報読取装置１ａに組み付けられた状態では、上述した照度分布改善のために白色の第２の照明光Ｌｆ２を照射するように制御される。
【０１４９】
これにより、第１の照明光Ｌｆ１および第２の照明光Ｌｆ２により載置部８０近傍での照度分布が表示情報の撮像に適するように制御された状態にて、ステップＳ１０７に示す読取処理がなされ、撮像部２３により撮像された表示情報を読み取るための処理がなされる。この読み取りが完了するまでステップＳ１０９にてＮｏと判定されて、上記ステップＳ１０３からの処理が繰り返される。
【０１５０】
そして、読み取り可能に表示情報が撮像されたことから表示情報の読み取りが完了すると（Ｓ１０９でＹｅｓ）、ステップＳ１１１に示す読取完了報知処理がなされる。この処理では、補助光源２２が上記ステップＳ１０５における発光状態と異なり青色の発光色にて第２の照明光Ｌｆ２を照射することで、ユーザに対して載置部８０に載置された表示媒体の表示情報の読み取りが完了したことが報知される。そして、上記ステップＳ１０３からの処理が繰り返され、情報読取装置１ａに対して所定の終了操作等がなされた場合に、本光源制御処理が終了する。
【０１５１】
一方、上記ステップＳ１０１に示す判定処理にて、アタッチメント６０が情報読取装置１ａに組み付けられていることが検出されない場合には（Ｓ１０１でＮｏ）、制御回路４０により制御されて、照明光源２１により第１の照明光Ｌｆ１が照射され（Ｓ１１３）、補助光源２２が消灯状態となる（Ｓ１１５）。これにより、第１の照明光Ｌｆ１により読取口５近傍での照度分布が表示情報の撮像に適するように制御された状態にて、ステップＳ１１７に示す読取処理がなされ、撮像部２３により撮像された表示情報を読み取るための処理がなされる。この読み取りが完了するまでステップＳ１１９にてＮｏと判定されて、上記ステップＳ１１３からの処理が繰り返される。
【０１５２】
そして、読み取り可能に表示情報が撮像されたことから表示情報の読み取りが完了すると（Ｓ１０９でＹｅｓ）、ステップＳ１２１に示す読取完了報知処理がなされる。この処理では、補助光源２２が上記ステップＳ１１１における処理と同様に青色の発光色にて第２の照明光Ｌｆ２を照射することで、ユーザに対して読取口５にかざされた表示媒体の表示情報の読み取りが完了したことが報知される。そして、上記ステップＳ１１３からの処理が繰り返され、情報読取装置１ａに対して所定の終了操作等がなされた場合に、本光源制御処理が終了する。
【０１５３】
以上説明したように、本実施形態に係る情報読取装置１ａでは、光源制御手段として機能する制御回路４０により補助光源２２を制御することで、第２の照明光Ｌｆ２の発光色（波長）を制御する。特に、アタッチメントの組み付けが検出された場合における補助光源２２の制御（Ｓ１０５）と、アタッチメントの組み付けが検出されない場合における補助光源２２の制御（Ｓ１１５）と、を変更する。さらに、表示情報の読取結果に応じて補助光源２２を制御することで第２の照明光Ｌｆ２を利用して読取結果を報知する（Ｓ１１１，Ｓ１２１）。
【０１５４】
これにより、アタッチメントの組み付け時に必要な補助光源２２を、アタッチメントが組み付けられていない場合での表示情報の読取結果の報知に兼用でき、この兼用によって読取結果の報知に関する部品共用化を図ることで、低コスト化だけでなく装置自体の小型化をも実現することができる。なお、上記ステップＳ１０５における処理では、白色の第２の照明光Ｌｆ２を照射するように制御されることに限らず、他の発光色（波長）または所定の発光強度および発光タイミングにて第２の照明光Ｌｆ２を照射するように制御されてもよい。例えば、補助光源２２は、その発光タイミングと撮像部２３による撮像タイミングとを同期させるように制御されてもよい。また、上記ステップＳ１１１における処理では、青色の第２の照明光Ｌｆ２を照射するように制御されることに限らず、他の発光色（波長）または所定の発光強度および発光タイミングにて第２の照明光Ｌｆ２を照射するように制御されてもよい。同様に、ステップＳ１２１における処理では、青色の第２の照明光Ｌｆ２を照射するように制御されることに限らず、他の発光色（波長）または所定の発光強度および発光タイミングにて第２の照明光Ｌｆ２を照射するように制御されてもよいし、上記ステップＳ１１１における処理と異なる発光状態（例えば、異なる発光時間）にて第２の照明光Ｌｆ２を照射するように制御されてもよい。
【０１５５】
なお、補助光源２２を、アタッチメントが組み付けられていない場合での表示情報の読取完了の報知だけでなく、読取結果の成否を含めた所定の情報の報知等に兼用することで、この兼用によって所定の情報の報知等に関する部品共用化を図り、低コスト化だけでなく装置自体の小型化をも実現することができる。
【０１５６】
また、補助光源２２は、アタッチメントの組み付けの検出の有無にかかわらず、第２の照明光Ｌｆ２の波長（発光色）、発光強度および発光タイミングの少なくとも１つが制御回路４０により制御されてもよい。これにより、様々な表示媒体を撮像する場合でも、その表示情報の撮像に適した照明の波長特性や照明強度等を考慮して補助光源２２を制御することで、表示情報を読み取り容易に撮像することができる。また、上述した所定の情報の報知に関して、報知すべき所定の情報の種別に応じて第２の照明光Ｌｆ２の波長、発光強度および発光タイミングの少なくとも１つを制御することで、より多くの種別の情報を視認容易に報知することができる。
【０１５７】
特に、制御回路４０は、通信インタフェース（図示略）を介して外部から入力される情報に応じて、上述した第２の照明光Ｌｆ２の波長、発光強度および発光タイミングの少なくとも１つを変更するように補助光源２２を制御することができる。これにより、様々な表示媒体を撮像する場合でも、その表示情報の撮像に適した照明の波長特性や照明強度等を考慮して補助光源２２を制御するための情報が外部から入力されることで、表示情報を読み取り容易に撮像することができる。
【０１５８】
例えば、表示情報の背景に赤色の模様をもつ表示媒体を撮像する場合には、照明光を赤色で発光させることで背景の模様の影響を少なくして表示情報の読み取りを容易にすることが可能であるが、一方、デフォルトの発光色として市場要求から赤色以外で設定したい場合がある。この場合であっても、ユーザの要求に応じて第２の照明光Ｌｆ２を赤色にて発光させるための情報が制御回路４０に対して外部から入力されることで、デフォルト発光色としては設定していない赤色にて、第２の照明光Ｌｆ２が発光するように補助光源２２が制御される。これにより、デフォルトの状態では汎用性が高い発光色（例えば白色）で第２の照明光Ｌｆ２を発光させ、デフォルト色の第２の照明光Ｌｆ２が読み取りに影響を及ぼす表示媒体では、その表示情報の背景等に適した色で第２の照明光Ｌｆ２を発光させることで、様々な表示媒体の表示情報を読み取り容易に撮像することができる。
【０１５９】
なお、利用状況等に応じて補助光源２２の制御を変更する本実施形態の特徴的構成は、補助光源２２を有する他の実施形態の情報読取装置にも適用することができる。
【０１６０】
［他の実施形態］
なお、本発明は上記各実施形態に限定されるものではなく、例えば、以下のように具体化してもよい。
（１）載置部８０，８０ａ，８０ｃは、パスポート１００が載置されるように形成されることに限らず、他の形状等の表示媒体が載置されるように形成されてもよい。
【０１６１】
（２）アタッチメント６０，６０ｂ，６０ｄ，６０ｆは、載置部８０が１つ形成されることに限らず、載置部が複数形成されてもよい。また、アタッチメント６０ａは、載置部８０ａが１つ形成されることに限らず、載置部が複数形成されてもよい。また、アタッチメント６０ｅは、載置部８０ｃが１つ形成されることに限らず、載置部が複数形成されてもよい。例えば、アタッチメント６０ａであれば、各支持部材９１〜９４の上部に設けられる上側の載置部８０ａとこの上側の載置部８０ａの直下であって各支持部材９１〜９４の中間部位に設けられる下側の載置部８０ａとの２つの載置部８０ａを設けることもできる。このように載置部が複数個所形成されることで、複数の載置部のうち文字情報１０２（表示情報）の大きさや位置等に応じて選択した１つの載置部に対してパスポート１００（表示媒体）を載置することで、文字情報１０２（表示情報）と読取口５との距離を容易に変更することができる。
【０１６２】
（３）載置部８０，８０ａ，８０ｃは、情報読取装置１に対して着脱可能に形成されるアタッチメント６０，６０ａ，６０ｂ，６０ｄ，６０ｅ，６０ｆの一部として形成されることに限らず、情報読取装置１，１ａの外郭を構成するケース３に対して一体的に設けられてもよい。
【０１６３】
（４）載置部８０，８０ａ，８０ｃは、パスポート１００の一縁１０１ａが情報読取装置１の幅方向に沿い載置されるように形成されることに限らず、例えば、図４９に示すアタッチメント６０ｃの載置部８０ｂのように、パスポート１００の一縁１０１ａが読取口５の対角線近傍に沿い載置されるように形成されてもよい。この場合、パスポート１００の表示面１０１のうち一縁１０１ａから離れた部位を下方から支持する支持部８３ａを支持部材９１に設けることができる。これにより、文字情報１０２が読取口５に対して対向する領域を広くできるので、広い範囲の文字情報１０２であっても確実に撮像することができる。
【０１６４】
（５）基部７０の側壁７１および側壁７２は、載置面Ｆからの高さが読取口５の高さとほぼ等しくなるように形成されることに限らず、読取口５の高さよりも低くなるように形成されてもよい。これにより、載置部８０，８０ａを利用することなく表示媒体を読取口５にかざす場合でも、側壁７１や側壁７２に接触することもないので、表示媒体を読取口５にかざしやすくすることができる。
【０１６５】
（６）基部７０の側壁７１および側壁７２は、載置面Ｆからの高さが読取口５の高さとほぼ等しくなるように形成されることに限らず、読取口５の高さよりも高くなるように形成されてもよい。この場合には、側壁７１および側壁７２のうち少なくとも読取口５の高さよりも高く部分を柔軟性の高い部材により構成することで、載置部８０，８０ａを利用することなく表示媒体を読取口５にかざす場合でも、読取口５と表示媒体との衝突を防止または緩和でき、読取口５等を好適に保護することができる。
【０１６６】
（７）情報読取装置１，１ａは、パスポート１００に設けられるアンテナ（図示略）を利用してパスポート１００に記録されたデータを読み取る無線通信機能を有するように構成されてもよい。
【０１６７】
（８）載置部８０，８０ａは、４つの支持部材９１〜９４を介して基部７０に支持されるように構成されることに限らず、例えば、２つの支持部材を介して基部７０に支持されるように構成されてもよい。
【０１６８】
（９）上記第４実施形態等において、アタッチメントの組み付けは、アタッチメントに表示された特定のパターンの撮像部２３による撮像によって検出されることに限らず、他の検出手段を別途設けることで検出されてもよい。例えば、ケース３の外面に設けられる接触スイッチ等にて基部７０との接触を検知することで、アタッチメントの組み付けを検出してもよい。
【０１６９】
（１０）上記第４実施形態等においてアタッチメントの組み付けの検出に応じてなされる所定の処理は、一次元コードや二次元コード等の情報コードを光学的に読み取る機能の実施やＯＣＲ機能の実施に限らず、他の情報読取装置１にて実装可能な処理、例えば、ブザーの動作制限や照明光源２１の照度制御であってもよい。特に、アタッチメントに表示される特定のパターンを、調整用の情報が読み取り可能に記録される情報コードとすることができる。この場合、上記情報コードの読み取りによってアタッチメントを検出するとともに、この読み取り結果に応じて行われる所定の処理に関するレベルを制御することができる。例えば、上記所定の処理が照明光源２１の照度制御であって、読み取り結果に応じてその照度を調整することができる。
【符号の説明】
【０１７０】
１，１ａ…情報読取装置
３…ケース
５…読取口
２１…照明光源（主光源）
２２…補助光源
２３…撮像部（撮像手段）
４０…制御回路（読取手段，制御手段，検出手段，光制御手段）
６０，６０ａ，６０ｂ，６０ｃ，６０ｄ，６０ｅ，６０ｆ…アタッチメント（情報読取装置用アタッチメント）
６１…プレート
６２…透明部
６３…遮光部
８０，８０ａ，８０ｂ，８０ｃ…載置部
８１，８２，８４，８５…梁部
８１ｃ，８２ｃ…位置決め部
８４ｄ，８５ｄ…案内面
８４ｆ，８５ｆ…接触面
８６ａ，８６ｂ…挟持部
８７，８７ａ〜８７ｄ，８８…特定のパターン
１００…パスポート（表示媒体）
１０２…文字情報（表示情報）
２００…壁部
２０４…透過部材（拡散透過部材，減衰透過部材）
２１０…第１の照度調整部材
２２０…第２の照度調整部材
Ｌｆ１…第１の照明光
Ｌｆ２…第２の照明光
【図１】
2020010366.tif 000003
【図２】
2020010366.tif 000004
【図３】
2020010366.tif 000005
【図４】
2020010366.tif 000006
【図５】
2020010366.tif 000007
【図６】
2020010366.tif 000008
【図７】
2020010366.tif 000009
【図８】
2020010366.tif 000010
【図９】
2020010366.tif 000011
【図１０】
2020010366.tif 000012
【図１１】
2020010366.tif 000013
【図１２】
2020010366.tif 000014
【図１３】
2020010366.tif 000015
【図１４】
2020010366.tif 000016
【図１５】
2020010366.tif 000017
【図１６】
2020010366.tif 000018
【図１７】
2020010366.tif 000019
【図１８】
2020010366.tif 000020
【図１９】
2020010366.tif 000021
【図２０】
2020010366.tif 000022
【図２１】
2020010366.tif 000023
【図２２】
2020010366.tif 000024
【図２３】
2020010366.tif 000025
【図２４】
2020010366.tif 000026
【図２５】
2020010366.tif 000027
【図２６】
2020010366.tif 000028
【図２７】
2020010366.tif 000029
【図２８】
2020010366.tif 000030
【図２９】
2020010366.tif 000031
【図３０】
2020010366.tif 000032
【図３１】
2020010366.tif 000033
【図３２】
2020010366.tif 000034
【図３３】
2020010366.tif 000035
【図３４】
2020010366.tif 000036
【図３５】
2020010366.tif 000037
【図３６】
2020010366.tif 000038
【図３７】
2020010366.tif 000039
【図３８】
2020010366.tif 000040
【図３９】
2020010366.tif 000041
【図４０】
2020010366.tif 000042
【図４１】
2020010366.tif 000043
【図４２】
2020010366.tif 000044
【図４３】
2020010366.tif 000045
【図４４】
2020010366.tif 000046
【図４５】
2020010366.tif 000047
【図４６】
2020010366.tif 000048
【図４７】
2020010366.tif 000049
【図４８】
2020010366.tif 000050
【図４９】
2020010366.tif 000051